(57)【特許請求の範囲】
【請求項１】
液滴吐出ヘッドと相対的に移動して、前記液滴吐出ヘッドのノズル面を払拭する払拭装置を備えた液滴吐出装置において、
前記払拭装置は、
前記液滴吐出ヘッドと相対的に移動する装置本体と、
前記装置本体に設けられた駆動源と、
前記装置本体に交換して装着される複数の種類の払拭ユニットであって、それぞれ前記ノズル面に当接される払拭部材を有し、前記装置本体に装着されると、前記駆動源から動力を得て、前記払拭部材が前記ノズル面に対して異なる払拭動作を行う複数の種類の払拭ユニットと、
前記装置本体に設けられ、前記複数の種類の払拭ユニットの中から選択された一つの払拭ユニットが着脱自在に装着される装着部と、
を備えることを特徴とする液滴吐出装置。
【請求項２】
前記駆動源はモータであり、前記複数の種類の払拭ユニットは、それぞれ前記装置本体に装着されると、前記モータから回転動力を得て、前記払拭部材が異なる払拭動作を行うことを特徴とする請求項１に記載の液滴吐出装置。
【請求項３】
前記払拭ユニットの一つは、前記払拭部材として、一対のリール間を走行する帯状の払拭ウェブを備え、前記モータから得られる回転動力によって少なくとも一方のリールを回転させて、前記払拭ウェブを走行させ、該走行する払拭ウェブを前記ノズル面に当接させて、前記ノズル面を払拭することを特徴とする請求項２に記載の液滴吐出装置。
【請求項４】
前記払拭ユニットの一つは、前記払拭部材として回転する払拭パッドを備え、前記モータから得られる回転動力によって前記払拭パッドを回転させ、該回転する払拭パッドを前記ノズル面に当接させて、前記ノズル面を払拭することを特徴とする請求項２に記載の液滴吐出装置。
【請求項５】
前記払拭パッドが前記ノズル面に対して進退移動自在に設けられるとともに、付勢手段によって前記ノズル面に向けて付勢されることを特徴とする請求項４に記載の液滴吐出装置。
【請求項６】
前記払拭パッドが交換可能であることを特徴とする請求項４又は５に記載の液滴吐出装置。
【請求項７】
前記払拭ユニットの一つは、前記払拭部材として往復動する払拭パッドを備え、前記モータから得られる回転動力を往復運動に変換して前記払拭パッドを往復動させ、該往復動する払拭パッドを前記ノズル面に当接させて、前記ノズル面を払拭することを特徴とする請求項２〜６のいずれか一項に記載の液滴吐出装置。
【請求項８】
前記払拭パッドが前記ノズル面に対して進退移動自在に設けられるとともに、付勢手段によって前記ノズル面に向けて付勢されることを特徴とする請求項７に記載の液滴吐出装置。
【請求項９】
前記払拭パッドが交換可能であることを特徴とする請求項７又は８記載の液滴吐出装置。
【請求項１０】
前記払拭ユニットは、前記装置本体に設けられた凹状の前記装着部に垂直に挿して着脱自在に装着されることを特徴とする請求項２〜９のいずれか一項に記載の液滴吐出装置。
【請求項１１】
前記液滴吐出ヘッドは、前記ノズル面が水平面に対して傾斜して設けられることを特徴とする請求項１０に記載の液滴吐出装置。
【発明の詳細な説明】
【技術分野】
【０００１】
本発明は液滴吐出装置に係り、特に液滴吐出ヘッドのノズル面を払拭する払拭装置を備えた液滴吐出装置に関する。
【背景技術】
【０００２】
インクジェット記録装置では、連続して記録作業を行うと、インクがノズル付近に付着、堆積し、ノズルに目詰まりが生じる。ノズルの目詰まりは、印刷品質を大きく低下させるため、インクジェット記録装置では、定期的にヘッドのノズル面の清掃が行われる。
【０００３】
ノズル面の清掃は、たとえば、ノズル面をウェット化したのち、ブレード（ワイパ）又はウェブでノズル面を払拭することにより行われる。
【０００４】
そして、引用文献１には、ノズル面に対する移動方向に沿って種類の異なる払拭手段を複数配置し、選択的にヘッドのノズル面に当接させることにより、種類の異なる払拭手段でノズル面を払拭できるようにした払拭装置が記載されている。
【０００５】
また、引用文献２には、主走査方向に移動してノズル面を払拭する第１のブレードと、副走査方向に移動してノズル面を払拭する第２のブレードとを備え、払拭方向を変えてノズル面を払拭できる払拭装置が記載されている。
【先行技術文献】
【特許文献】
【０００６】
【特許文献１】特開２００６−５１８０６号公報
【特許文献２】特開２００３−１８３６号公報
【発明の概要】
【発明が解決しようとする課題】
【０００７】
しかしながら、特許文献１の払拭装置は、種類の異なる払拭手段でノズル面を払拭することができるが、いずれの払拭手段も同一方向にノズル面を払拭するため、ノズル穴内部の払拭方向上流側にあるインク由来の付着物を十分に除去できないという欠点がある。
【０００８】
また、特許文献２の払拭装置は、直交する２方向からノズル面を払拭することができるが、二つのブレードを備えなければならず、装置が大型化するという欠点がある。
【０００９】
本発明は、このような事情に鑑みてなされたもので、コンパクトな構成でノズル面の清掃能力の高い液滴吐出装置を提供することを目的とする。
【課題を解決するための手段】
【００１０】
請求項１に係る発明は、前記目的を達成するために、液滴吐出ヘッドと相対的に移動して、前記液滴吐出ヘッドのノズル面を払拭する払拭装置を備えた液滴吐出装置において、前記払拭装置は、前記液滴吐出ヘッドと相対的に移動する装置本体と、前記装置本体に設けられた駆動源と、前記装置本体に交換して装着される複数の種類の払拭ユニットであって、それぞれ前記ノズル面に当接される払拭部材を有し、前記装置本体に装着されると、前記駆動源から動力を得て、前記払拭部材が前記ノズル面に対して異なる払拭動作を行う複数の種類の払拭ユニットと、前記装置本体に設けられ、前記複数の種類の払拭ユニットの中から選択された一つの払拭ユニットが着脱自在に装着される装着部と、を備えることを特徴とする液滴吐出装置を提供する。
【００１１】
本発明によれば、払拭動作の異なる払拭ユニットが複数揃えられ、適宜交換して使用することができる。これにより、必要に応じて払拭方向を変えることができ、ノズル面（特にノズル穴の内周縁）に付着する汚れ等を確実に除去することができる。また、交換式なので、装置全体をコンパクトにすることができる。さらに、駆動源を共通にしているので、部品点数を削減することができるとともに、装置構成も簡略化することができる。
【００１２】
請求項２に係る発明は、前記目的を達成するために、前記駆動源はモータであり、前記複数の種類の払拭ユニットは、それぞれ前記装置本体に装着されると、前記モータから回転動力を得て、前記払拭部材が異なる払拭動作を行うことを特徴とする請求項１に記載の液滴吐出装置を提供する。
【００１３】
本発明によれば、駆動源にモータが用いられる。駆動源をシンプルなモータとすることにより、駆動部の構成を簡略化することができる。
【００１４】
請求項３に係る発明は、前記目的を達成するために、前記払拭ユニットの一つは、前記払拭部材として、一対のリール間を走行する帯状の払拭ウェブを備え、前記モータから得られる回転動力によって少なくとも一方のリールを回転させて、前記払拭ウェブを走行させ、該走行する払拭ウェブを前記ノズル面に当接させて、前記ノズル面を払拭することを特徴とする請求項２に記載の液滴吐出装置を提供する。
【００１５】
本発明によれば、払拭ユニットの一つが、一対のリール間を走行する払拭ウェブをノズル面に当接させて、ノズル面を払拭する構成とされる。走行する払拭ウェブをノズル面に当接させて、ノズル面を払拭することにより、常に新しい払拭部材でノズル面を払拭することができ、ノズル面を効果的に払拭することができる。
【００１６】
請求項４に係る発明は、前記目的を達成するために、前記払拭ユニットの一つは、前記払拭部材として回転する払拭パッドを備え、前記モータから得られる回転動力によって前記払拭パッドを回転させ、該回転する払拭パッドを前記ノズル面に当接させて、前記ノズル面を払拭することを特徴とする請求項２に記載の液滴吐出装置を提供する。
【００１７】
本発明によれば、払拭ユニットの一つが、回転する払拭パッドをノズル面に当接させて、ノズル面を払拭する構成とされる。回転する払拭パッドをノズル面に当接させて、ノズル面を払拭することにより、払拭方向を逐次変えることができ、ノズル面（特にノズル穴の内周縁）に付着する汚れ等を効果的に除去することができる。
【００１８】
請求項５に係る発明は、前記目的を達成するために、前記払拭パッドが前記ノズル面に対して進退移動自在に設けられるとともに、付勢手段によって前記ノズル面に向けて付勢されることを特徴とする請求項４に記載の液滴吐出装置を提供する。
【００１９】
本発明によれば、払拭パッドがノズル面に対して進退移動自在に設けられるとともに、付勢手段によってノズル面に向けて付勢される。これにより、ノズル面に過剰な力が掛かるのを防止でき、適切な力で効率よく払拭することができる。
【００２０】
請求項６に係る発明は、前記目的を達成するために、前記払拭パッドが交換可能であることを特徴とする請求項４又は５に記載の液滴吐出装置を提供する。
【００２１】
本発明によれば、払拭パッドを交換することができる。これにより、汚れの程度に応じて交換することができ、常に良好な払拭能力を確保することができる。
【００２２】
請求項７に係る発明は、前記目的を達成するために、前記払拭ユニットの一つは、前記払拭部材として往復動する払拭パッドを備え、前記モータから得られる回転動力を往復運動に変換して前記払拭パッドを往復動させ、該往復動する払拭パッドを前記ノズル面に当接させて、前記ノズル面を払拭することを特徴とする請求項２〜６のいずれか一項に記載の液滴吐出装置を提供する。
【００２３】
本発明によれば、払拭ユニットの一つが、往復動する払拭パッドをノズル面に当接させて、ノズル面を払拭する構成とされる。往復動する払拭パッドをノズル面に当接させて、ノズル面を払拭することにより、払拭方向を逐次変えることができ、ノズル面（特にノズル穴の内周縁）に付着する汚れ等を効果的に除去することができる。
【００２４】
請求項８に係る発明は、前記目的を達成するために、前記払拭パッドが前記ノズル面に対して進退移動自在に設けられるとともに、付勢手段によって前記ノズル面に向けて付勢されることを特徴とする請求項７に記載の液滴吐出装置を提供する。
【００２５】
本発明によれば、払拭パッドがノズル面に対して進退移動自在に設けられるとともに、付勢手段によってノズル面に向けて付勢される。これにより、ノズル面に過剰な力が掛かるのを防止でき、適切な力で効率よく払拭することができる。
【００２６】
請求項９に係る発明は、前記目的を達成するために、前記払拭パッドが交換可能であることを特徴とする請求項７又は８に記載の液滴吐出装置を提供する。
【００２７】
本発明によれば、払拭パッドを交換することができる。これにより、汚れの程度に応じて交換することができ、常に良好な払拭能力を確保することができる。
【００２８】
請求項１０に係る発明は、前記目的を達成するために、前記払拭ユニットは、前記装置本体に設けられた凹状の前記装着部に垂直に挿して着脱自在に装着されることを特徴とする請求項２〜９のいずれか一項に記載の液滴吐出装置を提供する。
【００２９】
本発明によれば、装置本体に設けられた凹状の装着部に垂直に挿すことにより、払拭ユニットが装置本体に装着される。これにより、払拭ユニットの交換作業を簡便に行うことができる。
【００３０】
請求項１１に係る発明は、前記目的を達成するために、前記液滴吐出ヘッドは、前記ノズル面が水平面に対して傾斜して設けられることを特徴とする請求項１０に記載の液滴吐出装置を提供する。
【００３１】
本発明によれば、ノズル面が水平面に対して傾斜して設けられる。ノズル面が傾斜した液滴吐出ヘッドに対して払拭ユニットを垂直に立てて装着する構成とすることにより、装置をコンパクト化することができる。
【発明の効果】
【００３２】
本発明によれば、コンパクトな構成でノズル面に付着した汚れ等を確実に払拭することができる。
【図面の簡単な説明】
【００３３】
【図１】インクジェット記録装置の画像記録部の概略構成を示す側面図
【図２】インクジェット記録装置の画像記録部の正面図
【図３】インクジェットヘッドのノズル面の平面透視図
【図４】インクジェットヘッドの下端領域の側面図
【図５】洗浄液付与装置をメンテナンス位置側から見た側面図
【図６】洗浄液付与ユニットの正面図
【図７】洗浄液付与ユニットの側面図
【図８】払拭装置をメンテナンス位置側から見た側面図
【図９】標準払拭ユニットの平面図
【図１０】標準払拭ユニットを画像記録位置側から見た側面図
【図１１】標準払拭ユニットの側面部分断面図
【図１２】標準払拭ユニットの正面部分断面図
【図１３】標準払拭ユニットの背面図
【図１４】押圧ローラの軸部を支持する軸支持部の構成を示す正面部分断面図
【図１５】図１４の１５−１５断面図
【図１６】図１２の１６−１６断面図
【図１７】標準払拭ユニットの払拭ウェブの使用時（ａ）と交換時（ｂ）の状態を示す説明図
【図１８】昇降テーブルを昇降移動させる連動機構の説明図
【図１９】標準払拭ユニットを装着部に装着したときの状態を示す正面断面図
【図２０】標準払拭ユニットを装着部に装着したときの状態を示す側面断面図
【図２１】強力払拭ユニットの平面図
【図２２】強力払拭ユニットを画像記録位置側から見た側面図
【図２３】強力払拭ユニットの側面部分断面図
【図２４】強力払拭ユニットの正面部分断面図
【図２５】強力払拭ユニットの装着方法の説明図
【図２６】強力払拭ユニットを装着部に装着したときの状態を示す正面断面図
【図２７】払拭ユニットの他の一例を示す側面部分断面図
【図２８】図２７の２８−２８断面図
【図２９】図２７の２９−２９矢視図
【図３０】払拭パッドの動作の説明図
【発明を実施するための形態】
【００３４】
以下、添付図面に従って本発明に係る液滴吐出装置の好ましい実施の形態について詳説する。
【００３５】
なお、ここでは、液滴吐出装置として、枚葉紙に画像を記録するインクジェット記録装置を例に説明する。
【００３６】
≪インクジェット記録装置の画像記録部の構成≫
図１は、インクジェット記録装置の画像記録部の概略構成を示す側面図である。
【００３７】
同図に示すように、本実施の形態のインクジェット記録装置の画像記録部１０は、メディア（枚葉紙）１２を画像記録ドラム１４によってドラム搬送する。そして、その画像記録ドラム１４による搬送過程でＣ（シアン）、Ｍ（マゼンタ）、Ｙ（イエロ）、Ｋ（クロ）の各色のインクの液滴を画像記録ドラム１４の周囲に配設されたインクジェットヘッド１６Ｃ、１６Ｍ、１６Ｙ、１６Ｋから吐出させて、メディア１２の表面にカラー画像を画像記録する。
【００３８】
画像記録ドラム１４は、その回転軸１８の両端部を一対の軸受２２に軸支されて回転自在に設けられている（図２参照）。一対の軸受２２は、インクジェット記録装置のインクジェット記録装置本体フレーム２０に設けられており、この一対の軸受２２に回転軸１８の両端部が軸支されることにより、画像記録ドラム１４は水平に取り付けられる（水平な設置面に対して回転軸１８が平行に取り付けられる。）。
【００３９】
画像記録ドラム１４の回転軸１８には、図示しない回転伝達機構を介してモータが連結されている。画像記録ドラム１４は、このモータに駆動されて回転する。
【００４０】
また、画像記録ドラム１４の周面には、メディア１２の先端部を把持するグリッパ２４が設けられている（本例では、外周面上の２カ所に設置されている。）。メディア１２は、このグリッパ２４に先端部を把持されて、画像記録ドラム１４の外周面上に保持される。
【００４１】
また、この画像記録ドラム１４には、図示しない吸着保持機構（たとえば、静電吸着、真空吸着）が備えられている。先端部をグリッパ２４に把持されて、画像記録ドラム１４の外周面上に巻き掛けられたメディア１２は、その裏面部を吸着保持機構によって吸着されて、画像記録ドラム１４の外周面上に保持される。
【００４２】
なお、本実施の形態のインクジェット記録装置において、メディア１２は、前段の工程から搬送ドラム２６を介して、画像記録ドラム１４に受け渡される。搬送ドラム２６は、画像記録ドラム１４に並列して配置されており、タイミングを合わせて、画像記録ドラム１４にメディア１２を受け渡す。
【００４３】
また、画像記録後のメディア１２は、搬送ドラム２８を介して、後段の工程に受け渡される。搬送ドラム２８は、画像記録ドラム１４に並列して配置されており、タイミングを合わせて、画像記録ドラム１４からメディア１２を受け取る。
【００４４】
４本のインクジェットヘッド１６Ｃ、１６Ｍ、１６Ｙ、１６Ｋは、メディア幅に対応したラインヘッドで構成されており、画像記録ドラム１４の回転軸１８を中心とした同心円上に一定の間隔をもって放射状に配置されている。
【００４５】
なお、本例では、４本のインクジェットヘッド１６Ｃ、１６Ｍ、１６Ｙ、１６Ｋが、画像記録ドラム１４を挟んで左右対称になるように配置されている。すなわち、画像記録ドラム１４の中心を通る鉛直な線分に対してシアンのインクジェットヘッド１６Ｃとクロのインクジェットヘッド１６Ｋとが左右対称に配置されるとともに、マゼンタのインクジェットヘッド１６Ｍとイエロのインクジェットヘッド１６Ｙとが左右対称に配置されている。
【００４６】
このように配置された各インクジェットヘッド１６Ｃ、１６Ｍ、１６Ｙ、１６Ｋは、それぞれその下端部に形成されたノズル面３０Ｃ、３０Ｍ、３０Ｙ、３０Ｋが、画像記録ドラム１４の外周面に対向して配置されるとともに、それぞれそのノズル面３０Ｃ、３０Ｍ、３０Ｙ、３０Ｋが、画像記録ドラム１４の外周面から所定高さの位置に位置する（画像記録ドラム１４の外周面とノズル面３０Ｃ、３０Ｍ、３０Ｙ、３０Ｋとの間に同じ量のギャップが形成される。）。また、そのノズル面３０Ｃ、３０Ｍ、３０Ｙ、３０Ｋに形成されたノズル列が、メディア１２の搬送方向と直交して配置される。
【００４７】
そして、このように配置された各インクジェットヘッド１６Ｃ、１６Ｍ、１６Ｙ、１６Ｋからは、そのノズル面３０Ｃ、３０Ｍ、３０Ｙ、３０Ｋに形成されたノズルから画像記録ドラム１４の外周面に向けて垂直にインクの液滴が吐出される。
【００４８】
図３は、インクジェットヘッドのノズル面の平面透視図である。また、図４は、インクジェットヘッドの下端領域の側面図である。
【００４９】
なお、各インクジェットヘッド１６Ｃ、１６Ｍ、１６Ｙ、１６Ｋの構成は共通しているので、ここではインクジェットヘッド１６として、そのノズル面３０（３０Ｃ、３０Ｍ、３０Ｙ、３０Ｋ）の構成を説明する。
【００５０】
同図に示すように、ノズル面３０は、長方形状に形成され、その幅方向（メディア搬送方向）の中央部に一定幅を有するノズル形成領域３０Ａが形成され、そのノズル形成領域３０Ａを挟んでノズル保護領域３０Ｂが対称に形成される。
【００５１】
ノズル形成領域３０Ａは、ノズルが形成される領域であり、その表面には所定の撥液処理が施されている（撥液膜が被覆されている）。
【００５２】
ここで、図３に示すように、本実施の形態のインクジェットヘッド１６は、いわゆるマトリックスヘッドで構成され、ノズルＮがノズル形成領域３０Ａに二次元マトリクス状に配置される。より具体的には、メディア１２の搬送方向に対して所定角度傾斜した方向に複数のノズルＮが一定ピッチで配置されたノズルの列が形成されるとともに、そのノズルの列がメディア１２の搬送方向と直交する方向（ヘッドの長手方向）に一定ピッチで多数配列される。このようなノズルの配置構成とすることにより、ヘッドの長手方向（メディア１２の搬送方向と直交する方向）に投影される実質的なノズルＮの間隔を狭めることができ、ノズルＮの高密度化を図ることができる。
【００５３】
なお、マトリックスヘッドでは、このヘッドの長手方向に投影されるノズルの列が実質的なノズル列とされる。
【００５４】
ノズル形成領域３０Ａの両側に配置されるノズル保護領域３０Ｂは、ノズル形成領域３０Ａを保護するための領域であり、ノズル形成領域３０Ａは、このノズル保護領域３０Ｂから所定量退避して凹状に形成されている（０．２ｍｍ程度）。
【００５５】
なお、本実施の形態のインクジェットヘッド１６は、ノズル形成領域３０Ａにのみ撥液処理が施される（ノズル保護領域３０Ｂには撥液処理は施されない）。この場合、ノズル保護領域３０Ｂに液体が付着すると、液体はノズル保護領域３０Ｂに濡れ広がる。
【００５６】
また、本実施の形態のインクジェットヘッド１６は、いわゆるピエゾ方式でノズルＮからインクの液滴を吐出させる。すなわち、ノズル面３０に形成された各ノズルＮは、それぞれ圧力室Ｐに連通されており、この圧力室Ｐの壁面をピエゾ素子で振動させることにより、圧力室Ｐの容積を拡縮させて、ノズルＮからインクの液滴を吐出させる。
【００５７】
なお、インクの吐出方式は、これに限らずサーマル方式で吐出させる構成とすることもできる。
【００５８】
画像記録部１０は、以上のように構成される。この画像記録部１０において、メディア１２は、前段の工程から搬送ドラム２６を介して画像記録ドラム１４に受け渡され、画像記録ドラム１４の周面に吸着保持されて回転搬送される。そして、その搬送過程で各インクジェットヘッド１６Ｃ、１６Ｍ、１６Ｙ、１６Ｋの下を通過し、その通過時に各インクジェットヘッド１６Ｃ、１６Ｍ、１６Ｙ、１６Ｋから吐出されたインクの液滴が記録面に打滴されて、記録面にカラー画像が形成される。画像が記録されたメディア１２は、画像記録ドラム１４から搬送ドラム２８に受け渡され、後段の工程へと搬送される。
【００５９】
さて、以上のように構成される画像記録部１０において、各インクジェットヘッド１６Ｃ、１６Ｍ、１６Ｙ、１６Ｋは、図２に示すように、ヘッド支持フレーム４０に取り付けられて、画像記録ドラム１４の周囲に配置される。
【００６０】
ヘッド支持フレーム４０は、画像記録ドラム１４の回転軸１８と直交して設けられた一対のサイドプレート４２Ｌ、４２Ｒと、その一対のサイドプレート４２Ｌ、４２Ｒを上端部で連結する連結フレーム４４とで構成されている。
【００６１】
一対のサイドプレート４２Ｌ、４２Ｒは、板状に形成されており、画像記録ドラム１４を挟んで互いに対向するように配置されている。この一対のサイドプレート４２Ｌ、４２Ｒの内側には、各インクジェットヘッド１６Ｃ、１６Ｍ、１６Ｙ、１６Ｋを取り付けるための取付部４６Ｃ、４６Ｍ、４６Ｙ、４６Ｋが設けられている（図２では、便宜上、取付部４６Ｙのみ図示）。
【００６２】
取付部４６Ｃ、４６Ｍ、４６Ｙ、４６Ｋは、画像記録ドラム１４の回転軸１８を中心とした同心円上に一定の間隔をもって放射状に配置されている。各インクジェットヘッド１６Ｃ、１６Ｍ、１６Ｙ、１６Ｋは、その両端に形成された被取付部４８Ｃ、４８Ｍ、４８Ｙ、４８Ｋ（図２では、便宜上、被取付部４８Ｙのみ図示）を取付部４６Ｃ、４６Ｍ、４６Ｙ、４６Ｋに固定することにより、ヘッド支持フレーム４０に取り付けられる。そして、このヘッド支持フレーム４０に取り付けられることにより、各インクジェットヘッド１６Ｃ、１６Ｍ、１６Ｙ、１６Ｋが、画像記録ドラム１４の回転軸１８を中心とした同心円上に一定の間隔をもって放射状に配置される。
【００６３】
ヘッド支持フレーム４０は、図示しないガイドレールにガイドされて、画像記録ドラム１４の回転軸１８と平行にスライド移動自在に設けられている。そして、図示しないリニア駆動機構（たとえば、送りネジ機構など）に駆動されて、図２に実線で示す「画像記録位置」と図２に破線で示す「メンテナンス位置」との間を移動する。
【００６４】
各インクジェットヘッド１６Ｃ、１６Ｍ、１６Ｙ、１６Ｋは、ヘッド支持フレーム４０を画像記録位置に位置させると、画像記録ドラム１４の周囲に配置され、画像記録可能な状態になる。
【００６５】
メンテナンス位置は、各インクジェットヘッド１６Ｃ、１６Ｍ、１６Ｙ、１６Ｋが画像記録ドラム１４から退避する位置に設定される。このメンテナンス位置には、各インクジェットヘッド１６Ｃ、１６Ｍ、１６Ｙ、１６Ｋを保湿するための保湿ユニット５０が設けられる。
【００６６】
保湿ユニット５０には、各インクジェットヘッド１６Ｃ、１６Ｍ、１６Ｙ、１６Ｋのノズル面を覆うキャップ５２Ｃ、５２Ｍ、５２Ｙ、５２Ｋ（図２では、便宜上、キャップ５２Ｙのみ図示）が備えられている。装置を長時間停止する場合などは、このキャップ５２Ｃ、５２Ｍ、５２Ｙ、５２Ｋでノズル面が覆われる。これにより、乾燥による不吐出が防止される。
【００６７】
なお、このキャップ５２Ｃ、５２Ｍ、５２Ｙ、５２Ｋには、図示しない加圧・吸引機構が備えられており、ノズル内を加圧・吸引できるように構成されている。
【００６８】
また、このキャップ５２Ｃ、５２Ｍ、５２Ｙ、５２Ｋには、図示しない洗浄液供給機構が備えられており、内部に洗浄液を供給できるように構成されている。
【００６９】
キャップ５２Ｃ、５２Ｍ、５２Ｙ、５２Ｋの下方位置には廃液トレイ５４が配置されている。キャップ５２Ｃ、５２Ｍ、５２Ｙ、５２Ｋに供給された洗浄液は、この廃液トレイ５４に廃棄され、廃液回収配管５６を介して廃液タンク５８に回収される。
【００７０】
画像記録位置とメンテナンス位置との間には、各インクジェットヘッド１６Ｃ、１６Ｍ、１６Ｙ、１６Ｋのノズル面３０Ｃ、３０Ｍ、３０Ｙ、３０Ｋを清掃するためのノズル面清掃装置６０が設けられている。各インクジェットヘッド１６Ｃ、１６Ｍ、１６Ｙ、１６Ｋは、メンテナンス位置から画像記録位置に移動する過程で、このノズル面清掃装置６０によってノズル面３０Ｃ、３０Ｍ、３０Ｙ、３０Ｋが清掃される。
【００７１】
以下、このノズル面清掃装置６０の構成について説明する。
【００７２】
≪ノズル面清掃装置の構成≫
図２に示すように、ノズル面清掃装置６０は、各インクジェットヘッド１６Ｃ、１６Ｍ、１６Ｙ、１６Ｋのノズル面３０Ｃ、３０Ｍ、３０Ｙ、３０Ｋに洗浄液を付与する洗浄液付与装置６２と、洗浄液が付与されたノズル面３０Ｃ、３０Ｍ、３０Ｙ、３０Ｋを払拭部材で払拭する払拭装置６４とで構成される。
【００７３】
洗浄液付与装置６２は、メンテナンス位置から画像記録位置に向かって移動する各インクジェットヘッド１６Ｃ、１６Ｍ、１６Ｙ、１６Ｋのノズル面３０Ｃ、３０Ｍ、３０Ｙ、３０Ｋに洗浄液を付与する。
【００７４】
払拭装置６４は、洗浄液が付与された各インクジェットヘッド１６Ｃ、１６Ｍ、１６Ｙ、１６Ｋのノズル面３０Ｃ、３０Ｍ、３０Ｙ、３０Ｋに払拭部材を当接させて、ノズル面３０Ｃ、３０Ｍ、３０Ｙ、３０Ｋを払拭する。
【００７５】
洗浄液付与装置６２と払拭装置６４は、ヘッド支持フレーム４０の移動経路上に配置される。この際、洗浄液付与装置６２が払拭装置６４に対してメンテナンス位置側に配置される。これにより、各インクジェットヘッド１６Ｃ、１６Ｍ、１６Ｙ、１６Ｋをメンテナンス位置から画像記録位置に移動させる過程でノズル面３０Ｃ、３０Ｍ、３０Ｙ、３０Ｋを洗浄することができる。
【００７６】
なお、この配置は逆にすることもできる。すなわち、払拭装置６４をメンテナンス位置側に配置することもできる。この場合、各インクジェットヘッド１６Ｃ、１６Ｍ、１６Ｙ、１６Ｋを画像記録位置からメンテナンス位置に移動させる過程でノズル面３０Ｃ、３０Ｍ、３０Ｙ、３０Ｋを洗浄する。
【００７７】
≪洗浄液付与装置の構成≫
図５は、洗浄液付与装置をメンテナンス位置側から見た側面図である。
【００７８】
洗浄液付与装置６２は、ヘッド支持フレーム４０の移動経路上に配置される。特に、本例では保湿ユニット５０に備えられた廃液トレイ５４の内側に配置される（図２参照）。この洗浄液付与装置６２は、各インクジェットヘッド１６Ｃ、１６Ｍ、１６Ｙ、１６Ｋに対応して設けられた洗浄液付与ユニット７０Ｃ、７０Ｍ、７０Ｙ、７０Ｋと、その洗浄液付与ユニット７０Ｃ、７０Ｍ、７０Ｙ、７０Ｋが搭載される洗浄液付与装置本体７２とで構成される。
【００７９】
〈洗浄液付与装置本体の構成〉
洗浄液付与装置本体７２は、水平に設置されており、図示しない昇降装置によって昇降自在に設けられている。この洗浄液付与装置本体７２の上面部分には、洗浄液付与ユニット取付部７２Ｃ、７２Ｍ、７２Ｙ、７２Ｋが形成されている。各洗浄液付与ユニット７０Ｃ、７０Ｍ、７０Ｙ、７０Ｋは、この洗浄液付与装置本体７２に形成された洗浄液付与ユニット取付部７２Ｃ、７２Ｍ、７２Ｙ、７２Ｋにボルト等で固定されて、所定位置に取り付けられる。そして、この洗浄液付与装置本体７２に取り付けられることにより、各洗浄液付与ユニット７０Ｃ、７０Ｍ、７０Ｙ、７０Ｋは、対応するインクジェットヘッド１６Ｃ、１６Ｍ、１６Ｙ、１６Ｋの移動経路上に配置される（画像記録位置からメンテナンス位置への移動経路上に配置される。）。
【００８０】
〈洗浄液付与ユニットの構成〉
次に、洗浄液付与ユニット７０Ｃ、７０Ｍ、７０Ｙ、７０Ｋの構成について説明する。
【００８１】
なお、各洗浄液付与ユニット７０Ｃ、７０Ｍ、７０Ｙ、７０Ｋの基本構成は共通しているので、ここでは洗浄液付与ユニット７０として、その構成を説明する。
【００８２】
図６、図７は、それぞれ洗浄液付与ユニットの正面図と側面図である。
【００８３】
同図に示すように、洗浄液付与ユニット７０は、ノズル面３０に洗浄液を付与する洗浄液付与ヘッド７４と、ノズル面３０から落ちる洗浄液を回収する洗浄液回収皿７６とを備えて構成される。
【００８４】
洗浄液回収皿７６は、上部が開口した矩形の箱状に形成されている。洗浄液付与ヘッド７４は、この洗浄液回収皿７６の内部に垂直に立設される。
【００８５】
洗浄液付与ヘッド７４は、上面が傾斜した四角いブロック状に形成されており、その上部に傾斜した洗浄液保持面７４Ａを有している。この洗浄液保持面７４Ａは、清掃対象とするヘッドのノズル面３０と同じ傾斜角度で形成されており、ノズル面３０の幅（メディア搬送方向の幅）よりも若干広い幅をもって形成されている。
【００８６】
洗浄液保持面７４Ａの上部近傍には、洗浄液噴出口７８が形成されており、この洗浄液噴出口７８から洗浄液が流れ出る。洗浄液噴出口７８から流れ出た洗浄液は、傾斜した洗浄液保持面７４Ａを流れ落ちる。これにより、洗浄液保持面７４Ａの上に洗浄液の層（膜）が形成される。インクジェットヘッド１６は、この洗浄液保持面７４Ａの上に形成される洗浄液の層にノズル面３０を接触させることにより、ノズル面３０に洗浄液が付与される。
【００８７】
洗浄液付与ヘッド７４の内部には、洗浄液噴出口７８に連通する供給流路８０が形成されている。この供給流路８０は、洗浄液回収皿７６に形成された連通流路７６Ａに連通されており、連通流路７６Ａは、洗浄液回収皿７６に形成された洗浄液供給口７６Ｂに連通されている。洗浄液付与ヘッド７４は、この洗浄液供給口７６Ｂに洗浄液が供給されることにより、洗浄液噴出口７８から洗浄液が流れ出る。
【００８８】
洗浄液は、洗浄液タンク（図示せず）から供給される。洗浄液供給口７６Ｂには、この洗浄液タンクに接続された配管（図示せず）が接続される。この配管には洗浄液供給ポンプ（図示せず）及びバルブ（図示せず）が設けられ、このバルブを開けて、洗浄液供給ポンプを駆動することにより、洗浄液タンクから洗浄液付与ヘッド７４に洗浄液が供給される。
【００８９】
洗浄液回収皿７６は、上記のように上部が開口した矩形の箱状に形成されている。この洗浄液回収皿７６の底部は、傾斜して形成されており、その傾斜方向の下端部に回収穴８８が形成されている。この回収穴８８は、洗浄液回収皿７６の内部に形成された回収流路７６Ｃを介して、洗浄液回収皿７６の側面部に形成された洗浄液排出口７６Ｄに連通されている。
【００９０】
洗浄液付与ヘッド７４の洗浄液噴出口７８から噴出させた洗浄液は、洗浄液保持面７４Ａから流れ落ちて洗浄液回収皿７６に回収される。そして、図示しない配管を介して廃液タンク５８に回収される。
【００９１】
洗浄液付与ユニット７０（７０Ｃ、７０Ｍ、７０Ｙ、７０Ｋ）は、以上のように構成される。そして、この洗浄液付与ユニット７０Ｃ、７０Ｍ、７０Ｙ、７０Ｋが、洗浄液付与装置本体７２に形成された洗浄液付与ユニット取付部７２Ｃ、７２Ｍ、７２Ｙ、７２Ｋに取り付けられることにより、洗浄液付与装置６２が構成される。
【００９２】
なお、洗浄液付与装置６２の動作は、図示しない制御装置によって制御される。制御装置は、昇降装置等の駆動を制御して、洗浄液付与装置６２による洗浄液の付与動作を制御する。
【００９３】
また、洗浄液としては、たとえば、ジエチレンモノブチルエーテルを主成分とする洗浄液が用いられる。この種の洗浄液をノズル面３０に付与することで、ノズル面３０に付着したインク由来の固着物を溶解し除去しやすくすることができる。
【００９４】
〈洗浄液付与装置の作用〉
次に、以上のように構成された洗浄液付与装置６２による洗浄液の付与動作について説明する。
【００９５】
洗浄液付与装置６２は、インクジェットヘッド１６（１６Ｃ、１６Ｍ、１６Ｙ、１６Ｋ）がメンテナンス位置から画像記録位置に移動する過程でヘッドのノズル面３０（３０Ｃ、３０Ｍ、３０Ｙ、３０Ｋ）に洗浄液を付与する。具体的には、次のように洗浄液を付与する。
【００９６】
上記のように、洗浄液付与ユニット７０Ｃ、７０Ｍ、７０Ｙ、７０Ｋが取り付けられた洗浄液付与装置本体７２は、図示しない昇降装置によって昇降自在に設けられている。洗浄液付与装置本体７２は、清掃時以外、所定の待機位置に位置しており、清掃時にのみ待機位置から所定量上昇して、所定の作動位置に移動する。
【００９７】
洗浄液付与装置本体７２が作動位置に移動すると、各洗浄液付与ユニット７０Ｃ、７０Ｍ、７０Ｙ、７０Ｋが、所定の洗浄液付与位置にセットされる。これにより、各洗浄液付与ユニット７０Ｃ、７０Ｍ、７０Ｙ、７０Ｋに備えられた洗浄液付与ヘッド７４によって各ヘッドのノズル面３０Ｃ、３０Ｍ、３０Ｙ、３０Ｋに洗浄液を付与することが可能になる。すなわち、各洗浄液付与ユニット７０Ｃ、７０Ｍ、７０Ｙ、７０Ｋが、洗浄液付与位置にセットされると、洗浄液付与ヘッド７４の洗浄液保持面７４Ａを流れる洗浄液が、ノズル面３０Ｃ、３０Ｍ、３０Ｙ、３０Ｋに接触する位置（洗浄液保持面７４Ａとノズル面３０Ｃ、３０Ｍ、３０Ｙ、３０Ｋとのギャップが所定範囲になる位置）に各洗浄液付与ユニット７０Ｃ、７０Ｍ、７０Ｙ、７０Ｋがセットされる。
【００９８】
各洗浄液付与ユニット７０Ｃ、７０Ｍ、７０Ｙ、７０Ｋが、所定の洗浄液付与位置にセットされると、制御装置は、リニア駆動機構を駆動して、ヘッド支持フレーム４０をメンテナンス位置から画像記録位置に向けて所定の移動速度で移動させる。
【００９９】
その一方で制御装置は、各インクジェットヘッド１６Ｃ、１６Ｍ、１６Ｙ、１６Ｋが、洗浄液付与ユニット７０Ｃ、７０Ｍ、７０Ｙ、７０Ｋの洗浄液付与ヘッド７４に到達するタイミングに合わせて、洗浄液供給ポンプを駆動する。これにより、各洗浄液付与ユニット７０Ｃ、７０Ｍ、７０Ｙ、７０Ｋに備えられた洗浄液付与ヘッド７４の洗浄液噴出口７８から洗浄液が所定の流量で流れ出る。洗浄液噴出口７８から流れ出た洗浄液は、洗浄液保持面７４Ａを流れ落ちる。これにより、洗浄液保持面７４Ａの上に洗浄液の層（膜）が形成される。
【０１００】
画像記録位置に向かうインクジェットヘッド１６Ｃ、１６Ｍ、１６Ｙ、１６Ｋは、この洗浄液付与ヘッド７４を通過する際、そのノズル面３０Ｃ、３０Ｍ、３０Ｙ、３０Ｋが、洗浄液付与ヘッド７４の洗浄液保持面７４Ａの上に形成された洗浄液の層に接触する。これにより、ノズル面３０Ｃ、３０Ｍ、３０Ｙ、３０Ｋに洗浄液が付与される。
【０１０１】
≪払拭装置の構成≫
図８は、払拭装置をメンテナンス位置側から見た側面図である。
【０１０２】
払拭装置６４は、払拭装置本体１０２と、その払拭装置本体１０２に着脱自在に装着される標準払拭ユニット１００Ｃ、１００Ｍ、１００Ｙ、１００Ｋと、その標準払拭ユニット１００Ｃ、１００Ｍ、１００Ｙ、１００Ｋと交換して払拭装置本体１０２に装着される強力払拭ユニット３００Ｃ、３００Ｍ、３００Ｙ、３００Ｋとを備えて構成される。
【０１０３】
〈払拭装置本体の構成〉
払拭装置本体１０２は、ヘッド支持フレーム４０の移動経路上に配置される。特に、本例では洗浄液付与装置６２の設置位置と画像記録位置との間に配置される。この払拭装置本体１０２は、払拭装置本体フレーム１０２Ａと、その払拭装置本体フレーム１０２Ａを垂直に昇降移動させる昇降装置（図示せず）とで構成される。
【０１０４】
払拭装置本体フレーム１０２Ａは、上端部が開口した箱状に形成され、その内部に払拭ユニット（標準払拭ユニット１００Ｃ、１００Ｍ、１００Ｙ、１００Ｋ／強力払拭ユニット３００Ｃ、３００Ｍ、３００Ｙ、３００Ｋ）を装着するための払拭ユニット装着部１０４Ｃ、１０４Ｍ、１０４Ｙ、１０４Ｋが、各インクジェットヘッド１６Ｃ、１６Ｍ、１６Ｙ、１６Ｋに対応して形成されている。
【０１０５】
払拭ユニット装着部１０４Ｃ、１０４Ｍ、１０４Ｙ、１０４Ｋは、払拭ユニット（標準払拭ユニット１００Ｃ、１００Ｍ、１００Ｙ、１００Ｋ及び強力払拭ユニット３００Ｃ、３００Ｍ、３００Ｙ、３００Ｋ）を収容可能な凹状の空間として、払拭装置本体フレーム１０２Ａの上部に開口して形成されている。各払拭ユニット（標準払拭ユニット１００Ｃ、１００Ｍ、１００Ｙ、１００Ｋ／強力払拭ユニット３００Ｃ、３００Ｍ、３００Ｙ、３００Ｋ）は、各払拭ユニット装着部１０４Ｃ、１０４Ｍ、１０４Ｙ、１０４Ｋに対して、開口した上部から垂直に差し込むことにより、各払拭ユニット装着部１０４Ｃ、１０４Ｍ、１０４Ｙ、１０４Ｋに装着される。
【０１０６】
なお、各払拭ユニット装着部１０４Ｃ、１０４Ｍ、１０４Ｙ、１０４Ｋには、図示しないロック機構が備えられており、装着された払拭ユニット（標準払拭ユニット１００Ｃ、１００Ｍ、１００Ｙ、１００Ｋ／強力払拭ユニット３００Ｃ、３００Ｍ、３００Ｙ、３００Ｋ）をロックできるように構成されている。ロック機構は、たとえば、払拭ユニット（標準払拭ユニット１００Ｃ、１００Ｍ、１００Ｙ、１００Ｋ、強力払拭ユニット３００Ｃ、３００Ｍ、３００Ｙ、３００Ｋ）を払拭ユニット装着部１０４Ｃ、１０４Ｍ、１０４Ｙ、１０４Ｋに差し込むと、自動的に作動するように構成される。
【０１０７】
〈払拭ユニットの構成〉
次に、払拭ユニットの構成について説明する。
【０１０８】
上記のように、標準払拭ユニット１００Ｃ、１００Ｍ、１００Ｙ、１００Ｋと、強力払拭ユニット３００Ｃ、３００Ｍ、３００Ｙ、３００Ｋは、交換して払拭装置本体１０２に装着することができる。
【０１０９】
〈標準払拭ユニットの構成〉
まず、標準払拭ユニット１００Ｃ、１００Ｍ、１００Ｙ、１００Ｋの構成について説明する。
【０１１０】
なお、標準払拭ユニット１００Ｃ、１００Ｍ、１００Ｙ、１００Ｋは、各色のインクジェットヘッド１６Ｃ、１６Ｍ、１６Ｙ、１６Ｋに対応して設けられるが、その基本構成は共通しているので、ここでは「標準払拭ユニット１００」として、その構成を説明する。
【０１１１】
各払拭ユニット（標準払拭ユニット１００Ｃ、１００Ｍ、１００Ｙ、１００Ｋ、強力払拭ユニット３００Ｃ、３００Ｍ、３００Ｙ、３００Ｋ）が装着される払拭ユニット装着部１０４Ｃ、１０４Ｍ、１０４Ｙ、１０４Ｋについても同様であり、特に区別する場合を除いて、払拭ユニット装着部１０４として説明する。
【０１１２】
図９は標準払拭ユニットの平面図、図１０は標準払拭ユニットを画像記録位置側から見た側面図、図１１は標準払拭ユニットの側面部分断面図、図１２は標準払拭ユニットの正面部分断面図、図１３は標準払拭ユニットの背面図である。
【０１１３】
図９〜図１３に示すように、標準払拭ユニット１００は、傾斜して設置された押圧ローラ１１８に帯状に形成された払拭ウェブ１１０を巻き掛け、この押圧ローラ１１８に巻き掛けた払拭ウェブ１１０をインクジェットヘッドのノズル面に押圧当接させることにより、インクジェットヘッドのノズル面を払拭清掃する。
【０１１４】
この標準払拭ユニット１００は、ケース１１２と、帯状に形成された払拭ウェブ１１０を繰り出す繰出軸１１４と、払拭ウェブ１１０を巻き取る巻取軸１１６と、繰出軸１１４から繰り出された払拭ウェブ１１０が押圧ローラ１１８に巻き掛けられるようにガイドする前段ガイド１２０と、押圧ローラ１１８に巻き掛けられた払拭ウェブ１１０が巻取軸１１６に巻き取られるようにガイドする後段ガイド１２２と、払拭ウェブ１１０を搬送するグリッドローラ１２４とを備えて構成される。
【０１１５】
ケース１１２は、ケース本体１２６と蓋１２８とで構成されている。ケース本体１２６は、縦方向に長い四角い箱状に形成されており、上端部と前面部とが開口して形成されている。蓋１２８は、ヒンジ１３０を介して、ケース本体１２６の前面部に取り付けられている。ケース本体１２６は、この蓋１２８によって前面部が開閉される。
【０１１６】
なお、蓋１２８には弾性変形可能なロック爪１３２が設けられており、このロック爪１３２をケース本体１２６に形成された爪受部１３４に弾性変形させて係合させることにより、ケース本体１２６に固定される。
【０１１７】
繰出軸１１４は、円柱状に形成され、その基端部をケース本体１２６に設けられた軸支持部１３６に固定（片持ち支持）されて、ケース本体１２６の内部に水平に設置される。この繰出軸１１４には繰出コア１３８が着脱自在に装着される。なお、繰出軸１１４は、繰出コア１３８の長さよりも若干短く形成される。したがって、繰出コア１３８が装着されると、繰出軸１１４は、繰出コア１３８の内周部に退避する。
【０１１８】
繰出コア１３８は、円筒状に形成される。帯状に形成された払拭ウェブ１１０は、この繰出コア１３８にロール状に巻回される。
【０１１９】
繰出コア１３８は、その内周部に繰出軸１１４を挿入して、繰出軸１１４に嵌めることにより、繰出軸１１４に装着される。繰出軸１１４に装着された繰出コア１３８は、繰出軸１１４の周りを回転して、回転自在に支持される。
【０１２０】
ここで、図１１に示すように、ケース１１２の蓋１２８には、繰出軸１１４の設置位置に対応して繰出コア押え駒１３９が設けられている。蓋１２８が閉じられると、この繰出コア押え駒１３９が、繰出軸１１４に装着された繰出コア１３８の端面を軸方向に押圧し、繰出コア１３８にフリクションを与える。
【０１２１】
この繰出コア押え駒１３９は、軸部１３９Ａと、その軸部１３９Ａに摺動自在に設けられた押圧部１３９Ｂと、押圧部１３９Ｂを軸方向に付勢するバネ１３９Ｃとで構成される。
【０１２２】
軸部１３９Ａは、円柱状に形成され、蓋１２８の内面に垂直に取り付けられる。この軸部１３９Ａは、蓋１２８を閉めたときに、繰出軸１１４と同軸上に位置するように配置される。
【０１２３】
押圧部１３９Ｂは、ボス１３９Ｂ１とフランジ部１３９Ｂ２とで構成される。ボス１３９Ｂ１は、円筒状に形成され、その外周は、繰出コア１３８の内径とほぼ同じに形成され、繰出コア１３８の内周部に挿入可能に形成される。また、その内径は軸部１３９Ａの外径とほぼ同じに形成され、軸部１３９Ａに沿って摺動可能に形成される。フランジ部１３９Ｂ２は、ボス１３９Ｂ１の基端部に一体的に形成され、外周方向に張り出して形成される。このフランジ部１３９Ｂ２の基端部の内径は拡大して形成されており、この拡大して形成されたフランジ部１３９Ｂ２の内周部にバネ１３９Ｃが収容される。押圧部１３９Ｂは、このバネ１３９Ｃによって軸部１３９Ａの先端方向に向けて付勢される。
【０１２４】
なお、軸部１３９Ａの先端には、フランジ部が形成され、このフランジ部により、押圧部１３９Ｂの抜けが防止される。
【０１２５】
以上のように構成された繰出コア押え駒１３９は、ケース１１２の蓋１２８を閉じると、押圧部１３９Ｂのボス１３９Ｂ１が、繰出コア１３８の内周部に嵌入するとともに、フランジ部１３９Ｂ２が、繰出コア１３８の端面に当接し、バネ１３９Ｃの力によって、繰出コア１３８を軸方向に押圧する。これにより、繰出コア１３８は、繰出コア押え駒１３９とフランジ１１４Ａとの間で押圧挟持され、回転に際してフリクションが与えられる。
【０１２６】
なお、払拭ウェブ１１０には、たとえば、ＰＥＴ、ＰＥ、ＮＹ等の極微細繊維を用いた編み又は織りからなるシートが用いられ、払拭対象とするヘッドのノズル面の幅に対応した幅を有する帯状に形成される。
【０１２７】
巻取軸１１６は、繰出軸１１４の下方位置に水平に配設される。すなわち、巻取軸１１６と繰出軸１１４とは、上下に並列して配置される。
【０１２８】
この巻取軸１１６は、図１１に示すように、主軸１１６Ａと、その主軸１１６Ａの周りを周方向に回転自在に設けられた滑り軸１１６Ｂと、主軸１１６Ａと滑り軸１１６Ｂとを連結するトルクリミッタ１１６Ｃとで構成され、一定以上の負荷（トルク）が掛かると、主軸１１６Ａに対して滑り軸１１６Ｂが滑るように構成されている。
【０１２９】
主軸１１６Ａは、円柱の棒状に形成され、その基端部近傍をケース本体１２６に設けられた軸受部１４０に回動自在に支持される。
【０１３０】
滑り軸１１６Ｂは、円筒状に形成され、主軸１１６Ａの外周部を周方向に回転自在に設けられる。
【０１３１】
トルクリミッタ１１６Ｃは、滑り軸１１６Ｂの先端内周部に配置され、主軸１１６Ａと滑り軸１１６Ｂと連結する。このトルクリミッタ１１６Ｃは、同軸上に配置された入力側回転体（図示せず）と出力側回転体（図示せず）とを備えており、入力側回転体に対して出力側回転体に一定以上の負荷（トルク）が掛かると、その入力側回転体と出力側回転体との間で滑るように構成されている。トルクリミッタ１１６Ｃは、入力側回転体を主軸１１６Ａに接続（たとえば、キーとキー溝、あるいは、ボスとボス孔とにより回転伝達可能に接続、又は、一体的に固定して回転伝達可能に接続）され、出力側回転体を滑り軸１１６Ｂに接続（たとえば、キーとキー溝、あるいは、ボスとボス孔とにより回転伝達可能に接続、又は、一体的に固定して回転伝達可能に接続）されて、主軸１１６Ａと滑り軸１１６Ｂとを回転伝達可能に連結する。これにより、滑り軸１１６Ｂに一定以上の負荷がかかると、主軸１１６Ａに対して滑り軸１１６Ｂが滑るように機能する。
【０１３２】
以上の構成の巻取軸１１６は、滑り軸１１６Ｂに作用する負荷（トルク）が一定範囲内であれば、滑りは発生せず、滑り軸１１６Ｂが主軸１１６Ａと共に一体的に回転する。一方、滑り軸１１６Ｂに作用する負荷（トルク）が一定範囲を超えると、滑り軸１１６Ｂと主軸１１６Ａとの間で滑りが生じ、主軸１１６Ａに無理な負荷が掛かるのを防止することができる。
【０１３３】
この巻取軸１１６には、繰出コア１３８から繰り出された払拭ウェブ１１０を巻き取る巻取コア１４２が装着される。
【０１３４】
巻取コア１４２の構成は、繰出コア１３８の構成とほぼ同じである。すなわち、円筒状に形成される。繰出コア１３８に巻回された払拭ウェブ１１０の先端は、この巻取コア１４２に固定される。
【０１３５】
巻取コア１４２は、その内周部に巻取軸１１６を嵌めることにより、巻取軸１１６に装着される。
【０１３６】
ここで、図１１に示すように、巻取コア１４２は、その内周部にキー溝１４２Ｃが形成されている。一方、巻取軸１１６の外周（滑り軸１１６Ｂの外周）には、そのキー溝１４２Ｃに嵌合するキー１１６Ｄが形成されている。巻取コア１４２の装着時には、この巻取軸１１６に形成されたキー１１６Ｄを巻取コア１４２に形成された形成されたキー溝１４２Ｃに嵌めて装着する。これにより、巻取軸１１６の回転を巻取コア１４２に伝達可能に装着される。
【０１３７】
また、図１１に示すように、ケース１１２の蓋１２８の内側には、巻取軸１１６の設置位置に対応してガイド板１４３が設けられる。このガイド板１４３は、払拭ウェブ１１０の巻取径に対応した径の円盤状に形成され、蓋１２８が閉じられると、巻取軸１１６の先端に配置される。
【０１３８】
また、図１１に示すように、巻取軸１１６の基端部には、ガイド板１４３とほぼ同径のフランジ１１６Ｅが形成される。巻取コア１４２は、巻取軸１１６に装着されて、ケース１１２の蓋１２８が閉じられると、このフランジ１１６Ｅとガイド板１４３との間に配置される。巻取コア１４２に巻き取られる払拭ウェブ１１０は、このフランジ１１６Ｅとガイド板１４３とによって両縁部をガイドされながら、巻取コア１４２に巻き取られる。
【０１３９】
巻取軸１１６の主軸１１６Ａは、その基端部がケース本体１２６の外側に突出して設けられており、その突出した基端部に巻取軸ギア１５８が取り付けられる。巻取軸１１６（主軸１１６Ａ）は、この巻取軸ギア１５８が回転駆動されることにより回転する。なお、この巻取軸１１６の駆動機構については後述する。
【０１４０】
押圧ローラ１１８は、繰出軸１１４の上方に配置されており（本例では、押圧ローラ１１８と繰出軸１１４と巻取軸１１６とが同一直線上に配置されている。）、水平面に対して所定角度傾斜して配置されている。すなわち、この押圧ローラ１１８は、払拭ウェブ１１０をインクジェットヘッド１６のノズル面３０に押圧当接させるものであるため、払拭対象とするインクジェットヘッド１６のノズル面３０の傾きに合わせて傾けて配置されている（ノズル面と平行になるように配置されている）。
【０１４１】
また、押圧ローラ１１８は、払拭対象とするインクジェットヘッド１６のノズル面３０の断面形状に倣って中央部が拡径して形成されている（図１４参照）。すなわち、本実施の形態のインクジェットヘッド１６は、ノズル面３０の中央部（ノズル形成領域３０Ａ）が凹状に退避して形成されているので、この凹状に形成されたノズル面３０に対応して中央部が凸状に突出して形成されている。より具体的には、凹状に退避したノズル形成領域３０Ａに対応する領域（払拭時に当接する領域）が、その退避量に対応して突出（拡大）して形成されている。これにより、凹状に退避して形成されたノズル形成領域３０Ａに適切に払拭ウェブ１１０を当接させることができる。
【０１４２】
押圧ローラ１１８は、その両端部に軸部１１８Ｌ、１１８Ｒが突出して設けられており、この軸部１１８Ｌ、１１８Ｒを一対の軸支持部１４６Ｌ、１４６Ｒに軸支されて、回動自在かつ揺動自在に支持されている。
【０１４３】
図１４は、押圧ローラ１１８の軸部を支持する軸支持部の構成を示す正面部分断面図である。また、図１５は、図１４の１５−１５断面図である。
【０１４４】
同図に示すように、軸支持部１４６Ｌ、１４６Ｒは、水平に設けられた昇降ステージ１７０の上に設けられている。この軸支持部１４６Ｌ、１４６Ｒは、ともに昇降ステージ１７０に垂直に立設された柱部１５０Ｌ、１５０Ｒと、その柱部１５０Ｌ、１５０Ｒの先端に屈曲して設けられた支持部１５２Ｌ、１５２Ｒとで構成されている。
【０１４５】
支持部１５２Ｌ、１５２Ｒは、押圧ローラ１１８の軸と直交するように設けられており、その内側に凹部１５４Ｌ、１５４Ｒが形成されている。凹部１５４Ｌ、１５４Ｒは、押圧ローラ１１８の軸部１１８Ｌ、１１８Ｒの幅とほぼ同じ幅を有する長方形状に形成されており、清掃の対象とするインクジェットヘッドのノズル面に対して直交して形成されている（図１５参照）。押圧ローラ１１８は、その両端の軸部１１８Ｌ、１１８Ｒが、この支持部１５２Ｌ、１５２Ｒの凹部１５４Ｌ、１５４Ｒに遊嵌されている。この結果、押圧ローラ１１８は、清掃の対象とするインクジェットヘッドのノズル面に対して直交する面内で揺動自在に支持される。
【０１４６】
凹部１５４Ｌ、１５４Ｒの内側には、バネ１５６Ｌ、１５６Ｒが収容されており、凹部１５４Ｌ、１５４Ｒ内に遊嵌された押圧ローラ１１８の軸部１１８Ｌ、１１８Ｒは、このバネ１５６Ｌ、１５６Ｒによって上方に付勢されている。これにより、清掃の対象とするインクジェットヘッドのノズル面に倣って、押圧ローラ１１８の周面をノズル面に密着させることができる。
【０１４７】
前段ガイド１２０は、第１前段ガイド１６０と、第２前段ガイド１６２とで構成され、繰出軸１１４から繰り出された払拭ウェブ１１０が、傾斜して設置された押圧ローラ１１８に巻き掛けられるようにガイドする。
【０１４８】
一方、後段ガイド１２２は、第１後段ガイド１６４と、第２後段ガイド１６６とで構成され、傾斜して設置された押圧ローラ１１８に巻き掛けられた払拭ウェブ１１０が、水平に設置された巻取軸１１６に巻き取れるようにガイドする。
【０１４９】
この前段ガイド１２０と後段ガイド１２２は、押圧ローラ１１８を挟んで対称に配置されている。すなわち、第１前段ガイド１６０と第１後段ガイド１６４とが押圧ローラ１１８を挟んで対称に配置されるとともに、第２前段ガイド１６２と第２後段ガイド１６６とが押圧ローラ１１８を挟んで対称に配置されている。
【０１５０】
第１前段ガイド１６０は、所定の幅を有する板状に形成されており、昇降ステージ１７０の上に垂直に立設されている。この第１前段ガイド１６０は、上縁部１６０Ａが、払拭ウェブ１１０の巻き掛け部として形成されており、その表面が円弧状に形成されている。また、この上縁部１６０Ａは、水平面に対して所定角度傾斜して形成されており、これにより、払拭ウェブ１１０の走行方向が変換される。
【０１５１】
第１後段ガイド１６４は、第１前段ガイド１６０と同じ構成である。すなわち、所定の幅を有する板状に形成されており、昇降ステージ１７０の上に垂直に立設されている。そして、その上縁部１６４Ａが、払拭ウェブ１１０の巻き掛け部として形成され、円弧状に形成されるとともに、水平面に対して所定角度傾斜して形成されている。
【０１５２】
この第１前段ガイド１６０と第１後段ガイド１６４とが、押圧ローラ１１８を挟んで対称に配置されている。繰出軸１１４から繰り出された払拭ウェブ１１０は、第１前段ガイド１６０に巻き掛けられることにより、繰出軸１１４と直交する方向から押圧ローラ１１８と略直交する方向に方向転換される。また、後述する第２後段ガイド１６６に巻き掛けられた払拭ウェブ１１０は、第１後段ガイド１６４に巻き掛けられることにより、巻取軸１１６と直交する方向に方向転換される。
【０１５３】
第２前段ガイド１６２は、両端部にフランジ１６２Ｌ、１６２Ｒを有するガイドローラとして構成されている。この第２前段ガイド１６２は、第１前段ガイド１６０と押圧ローラ１１８との間に配置され、第１前段ガイド１６０に巻き掛けられた払拭ウェブ１１０が、押圧ローラ１１８に巻き掛けられるようにガイドする。すなわち、第１前段ガイド１６０によって押圧ローラ１１８と略直交する方向に方向転換された払拭ウェブ１１０が、押圧ローラ１１８と直交する方向に走行するように、払拭ウェブ１１０の走行方向を微調整する。また、両端のフランジ１６２Ｌ、１６２Ｒによって、払拭ウェブ１１０の斜行を防止する。
【０１５４】
この第２前段ガイド１６２は、一端をブラケット１６８Ａに片持ち支持されて、所定角度傾斜して設けられている。ブラケット１６８Ａは、図１３及び図１６に示すように、先端が屈曲したプレート状に形成されており、その基端部がケース本体１２６の背面上端部に固定されている。そして、そのケース本体１２６の上端部から上方に向けて垂直に突出して設けられている。第２前段ガイド１６２は、このブラケット１６８Ａの先端の屈曲部に片持ち支持されて回動自在に支持されている。
【０１５５】
第２後段ガイド１６６は、第２前段ガイド１６２と同じ構成である。すなわち、両端部にフランジ１６６Ｌ、１６６Ｒを有するガイドローラとして構成され、一端をブラケット１６８Ｂに片持ち支持されて、所定角度傾斜して設けられている。ブラケット１６８Ｂは、先端が屈曲したプレート状に形成されており、その基端部がケース本体１２６の背面上端部に固定されている。第２後段ガイド１６６は、このブラケット１６８Ｂの先端の屈曲部に片持ち支持されて回動自在に支持されている。
【０１５６】
この第２後段ガイド１６６は、押圧ローラ１１８と第１後段ガイド１６４との間に配置され、押圧ローラ１１８に巻き掛けられた払拭ウェブ１１０が、第１後段ガイド１６４に巻き掛けられるようにガイドする。
【０１５７】
この第２前段ガイド１６２と第２後段ガイド１６６とが、押圧ローラ１１８を挟んで対称に配置されている。第１前段ガイド１６０によって押圧ローラ１１８と略直交する方向に方向転換された払拭ウェブ１１０は、第２前段ガイド１６２に巻き掛けられることにより、押圧ローラ１１８と直交する方向に走行するように、走行方向が微調整される。また、押圧ローラ１１８に巻き掛けられた払拭ウェブ１１０は、第１後段ガイド１６４に巻き掛けられるように、第２後段ガイド１６６によって走行方向が微調整される。そして、第１後段ガイド１６４に巻き掛けられることにより、巻取軸１１６と直交する方向に方向転換される。
【０１５８】
このように、前段ガイド１２０と後段ガイド１２２は、段階的に払拭ウェブ１１０の走行方向を切り換えることにより、払拭ウェブ１１０が、無理なく押圧ローラ１１８に巻き掛けられるようにガイドする。
【０１５９】
このため、第１前段ガイド１６０の傾斜角度に比べて第２前段ガイド１６２の傾斜角度は押圧ローラ１１８の傾斜角度に近い角度となっており、同様に第１後段ガイド１６４の傾斜角度に比べて第２後段ガイド１６６の傾斜角度は押圧ローラ１１８の傾斜角度に近い角度となっている。
【０１６０】
ところで、上記のように、第１前段ガイド１６０と押圧ローラ１１８と第１後段ガイド１６４は、それぞれ昇降ステージ１７０の上に設けられている。この昇降ステージ１７０は、水平面に対して垂直方向に昇降移動自在に設けられている。
【０１６１】
図１１に示すように、昇降ステージ１７０には、その下部にガイド軸１７２が一体的に取り付けられている。ガイド軸１７２は、昇降ステージ１７０の下面部から鉛直下向きに延びており、ケース本体１２６内に配置されたガイドブッシュ１７４に嵌合されている。ガイドブッシュ１７４は、支持部材１７６を介してケース本体１２６の内壁面に固定されており、ガイド軸１７２を水平面に対して垂直にガイドする。
【０１６２】
このように、第１前段ガイド１６０と押圧ローラ１１８と第１後段ガイド１６４が設けられた昇降ステージ１７０は、水平面に対して垂直に昇降自在に設けられている。このため、図１７に示すように、この昇降ステージ１７０を昇降移動させることにより、第１前段ガイド１６０と押圧ローラ１１８と第１後段ガイド１６４とを、固定して設置された第２前段ガイド１６２と第２後段ガイド１６６に対して、進退移動させることができる。これにより、払拭ウェブ１１０の交換を簡単に行うことができる。
【０１６３】
すなわち、昇降ステージ１７０を下降させることにより、図１７（ｂ）に示すように、第１前段ガイド１６０と押圧ローラ１１８と第１後段ガイド１６４を、第２前段ガイド１６２と第２後段ガイド１６６とに対して下方へ退避させることができ、その間のスペースを大きく確保することができる。これにより、各部への払拭ウェブ１１０の巻き掛け作業を簡単に行うことができる。また、各部に払拭ウェブ１１０を巻き掛ける場合は、第１前段ガイド１６０と押圧ローラ１１８と第１後段ガイド１６４を下方に退避させた状態で、第１前段ガイド１６０と押圧ローラ１１８と第１後段ガイド１６４に払拭ウェブ１１０を巻き掛け、その後、昇降ステージ１７０を上昇させるだけで済む。すなわち、第１前段ガイド１６０と押圧ローラ１１８と第１後段ガイド１６４に払拭ウェブ１１０を巻き掛け、その後、昇降ステージ１７０を上昇させると、図１７（ａ）に示すように、自動的に第２前段ガイド１６２と第２後段ガイド１６６とに払拭ウェブ１１０が巻き掛けられる。
【０１６４】
このように、第１前段ガイド１６０と押圧ローラ１１８と第１後段ガイド１６４を、第２前段ガイド１６２と第２後段ガイド１６６に対して、進退可能とすることにより、払拭ウェブ１１０の交換作業を簡単に行うことができる。
【０１６５】
なお、第１前段ガイド１６０と押圧ローラ１１８と第１後段ガイド１６４は、使用に際して、所定の使用位置（図１７（ａ）の位置）に位置させる必要があるが、この第１前段ガイド１６０と押圧ローラ１１８と第１後段ガイド１６４の使用位置への移動は、払拭装置本体１０２への標準払拭ユニット１００の装着に連動して行われる。
【０１６６】
ここで、この連動機構について説明する。図１１及び図１３に示すように、第１前段ガイド１６０と押圧ローラ１１８と第１後段ガイド１６４とが設けられた昇降ステージ１７０には、背部に昇降レバー（係合部）１７８が設けられている。この昇降レバー１７８は、ケース本体１２６の背面に形成された切欠き部１８０を介してケース本体１２６の背面から突出して設けられている。昇降ステージ１７０は、この昇降レバー１７８をスライドさせることにより、昇降移動する。
【０１６７】
一方、図１８に示すように、払拭装置本体１０２の払拭装置本体フレーム１０２Ａに形成される払拭ユニット装着部１０４（１０４Ｃ、１０４Ｍ、１０４Ｙ、１０４Ｋ）には、その内側にピン（被係合部）１８２が突出して設けられている。このピン１８２は、標準払拭ユニット１００が、払拭ユニット装着部１０４に装着されると、標準払拭ユニット１００に設けられた昇降レバー１７８に係合するように設けられている。
【０１６８】
以上の構成により、標準払拭ユニット１００を払拭ユニット装着部１０４に差し込むと、図１８に示すように、昇降レバー１７８がピン１８２に係合し、強制的に所定位置まで上昇させられる。この結果、第１前段ガイド１６０と押圧ローラ１１８と第１後段ガイド１６４とが、所定の使用位置に位置決めされる。
【０１６９】
このように、第１前段ガイド１６０と押圧ローラ１１８と第１後段ガイド１６４の使用位置への移動は、払拭装置本体１０２への標準払拭ユニット１００の装着に連動して行われる。
【０１７０】
グリッドローラ１２４は、第１後段ガイド１６４の下方位置であって、ケース本体１２６の底部近傍に配置されている。このグリッドローラ１２４は、第１後段ガイド１６４によって巻取軸１１６と直交する方向に方向転換された払拭ウェブ１１０が、巻取軸１１６に巻き取られるように駆動力を与えながらガイドする。
【０１７１】
グリッドローラ１２４は、巻取軸１１６と平行（＝水平面と平行）に設けられており、その回転軸をケース本体１２６に設けられた軸受部１８４に回動自在に支持されている。回転軸は、基端部がケース本体１２６の外側に突出して設けられており、その突出した基端部には、グリッドローラギア１８６が固着されている。グリッドローラ１２４は、このグリッドローラギア１８６が回転駆動されることにより回転する。
【０１７２】
ここで、このグリッドローラ１２４を含む標準払拭ユニット１００の駆動機構について説明する。
【０１７３】
本実施の形態の標準払拭ユニット１００では、巻取軸１１６を回転駆動するとともに、グリッドローラ１２４を回転駆動することにより、払拭ウェブ１１０を繰出軸１１４から巻取軸１１６に向けて走行させる。
【０１７４】
上記のように、巻取軸１１６（巻取軸１１６を構成する主軸１１６Ａ）には、巻取軸ギア１５８が取り付けられている。一方、グリッドローラ１２４には、グリッドローラギア１８６が取り付けられている。この巻取軸ギア１５８とグリッドローラギア１８６は、図１３に示すように、回転伝達ギア１８８に噛み合わされている。
【０１７５】
回転伝達ギア１８８は、その回転軸が水平に設けられており、ケース本体１２６に設けられた軸受部１９０に回動自在に支持されている。巻取軸ギア１５８とグリッドローラギア１８６は、この回転伝達ギア１８８を回転させることにより、同じ方向に回転する。そして、この巻取軸ギア１５８とグリッドローラギア１８６とが回転することにより、巻取軸１１６とグリッドローラ１２４とが回転する。
【０１７６】
ここで、本例の払拭装置６４では、巻取軸ギア１５８とグリッドローラギア１８６に径の異なるギア（歯数の異なるギア）を用いており、巻取軸１１６とグリッドローラ１２４とが異なる速度で回転するように設定されている。すなわち、本例の払拭装置６４では、払拭ウェブ１１０を弛みなく搬送できるようにするために、グリッドローラ１２４で払拭ウェブ１１０を送る速度よりも巻取コア１４２で払拭ウェブ１１０を巻き取る速度の方が速くなるように、巻取軸１１６の回転速度とグリッドローラ１２４の回転速度が設定されている。これにより、弛みなく安定して払拭ウェブ１１０を巻き取ることができる。
【０１７７】
具体的には、巻取軸１１６に装着された巻取コア１４２の周速度Ｖ１が、グリッドローラ１２４の周速度Ｖ２よりも大きくなるように（Ｖ１＞Ｖ２）、巻取軸１１６の回転速度とグリッドローラ１２４の回転速度が設定され、それに基づき巻取軸ギア１５８とグリッドローラギア１８６とのギア比が設定される。
【０１７８】
なお、実際に設定する回転速度については、実験等で最適な数値を求めて設定される。すなわち、両者の間にあまりに差を設けすぎると、磨耗、故障等の原因になるので、実験等により最適な速度を求めて設定される。
【０１７９】
なお、このように巻取速度と送り速度に差を設けたとしても、本例の払拭装置６４では、巻取軸１１６に滑り機構（トルクリミッタ１１６Ｃによる滑り機構）が備えられているので、巻取軸１１６やグリッドローラ１２４、モータ１９４等に過負荷を与えることなく、駆動することができる。
【０１８０】
巻取軸ギア１５８とグリッドローラギア１８６とを回転させる回転伝達ギア１８８は、標準払拭ユニット１００を払拭装置本体１０２の払拭ユニット装着部１０４に装着すると、払拭ユニット装着部１０４内に設けられた駆動ギア１９２に噛み合わされる。
【０１８１】
駆動ギア１９２は、モータ１９４の出力軸に取り付けられており、標準払拭ユニット１００を払拭ユニット装着部１０４に装着した際、その回転伝達ギア１８８が歯合する位置に配置される。
【０１８２】
モータ１９４は、たとえば、パルスモータで構成され、払拭ユニット装着部１０４の底部に取り付けられる。このモータ１９４の駆動は、図示しない制御装置によって制御される。
【０１８３】
標準払拭ユニット１００の駆動機構は以上のように構成される。
【０１８４】
上記のように、標準払拭ユニット１００を払拭装置本体１０２の払拭ユニット装着部１０４に装着すると、標準払拭ユニット１００のケース１１２に設けられた回転伝達ギア１８８が、払拭ユニット装着部１０４に設けられた駆動ギア１９２に噛み合わされる（図１８参照）。この状態でモータ１９４を駆動すると、そのモータ１９４の出力軸に取り付けられた駆動ギア１９２が回転し、その回転が回転伝達ギア１８８に伝達されて、回転伝達ギア１８８が回転する。
【０１８５】
回転伝達ギア１８８が回転すると、その回転伝達ギア１８８の回転が巻取軸ギア１５８とグリッドローラギア１８６とに伝達されて、巻取軸ギア１５８とグリッドローラギア１８６とが回転する。この結果、巻取軸１１６とグリッドローラ１２４とが回転する。そして、この巻取軸１１６とグリッドローラ１２４が回転することにより、繰出軸１１４に装着された繰出コア１３８から払拭ウェブ１１０が繰り出され、所定の走行経路を通って巻取軸１１６に装着された巻取コア１４２に巻き取られる。
【０１８６】
このように、標準払拭ユニット１００を払拭ユニット装着部１０４に装着すると、回転伝達ギア１８８が駆動ギア１９２に噛み合わされて、巻取軸１１６とグリッドローラ１２４とを駆動することが可能になる。
【０１８７】
一方、標準払拭ユニット１００を払拭ユニット装着部１０４に装着すると、図１９及び図２０に示すように、払拭ユニット装着部１０４に設けられたニップローラ２００が、ケース本体１２６の底部に形成された開口部１２６Ａを介してグリッドローラ１２４の外周部に押圧当接される。
【０１８８】
ニップローラ２００は、グリッドローラ１２４とほぼ同じ幅で形成されており、外周部がゴム等の弾性体で被覆れている。このニップローラ２００は、払拭ユニット装着部１０４に設置された廃液受け２０２に水平に取り付けられている。
【０１８９】
廃液受け２０２は、上部が開口した矩形の箱状に形成されており、その上辺部にニップローラ２００を支持する軸受部（図示せず）が設けられている。ニップローラ２００は、この軸受部に軸支されて、廃液受け２０２に回動自在に支持される。
【０１９０】
廃液受け２０２は、内側の底面部が傾斜して形成されており、その傾斜方向の下端部に廃液口２０６が形成されている。廃液口２０６には、図示しない配管を介して廃液タンク５８に接続される。
【０１９１】
払拭ウェブ１１０が装填された標準払拭ユニット１００を払拭ユニット装着部１０４に装着すると、グリッドローラ１２４に巻き掛けられた払拭ウェブ１１０は、ニップローラ２００とグリッドローラ１２４との間にニップされる。
【０１９２】
ニップローラ２００とグリッドローラ１２４との間にニップされた払拭ウェブ１１０は、この状態でグリッドローラ１２４が回転駆動されることにより、巻取コア１４２に向けて送られる。
【０１９３】
ここで、このニップローラ２００とグリッドローラ１２４とにニップされる払拭ウェブ１１０は、ノズル面を払拭した後の払拭ウェブ１１０であるため、洗浄液等が吸収されている。この払拭ウェブ１１０に吸収された液体は、グリッドローラ１２４とニップローラ２００との間を通過することにより、払拭ウェブ１１０から除去され、廃液受け２０２で回収される。
【０１９４】
このように、ニップローラ２００とグリッドローラ１２４とは、払拭ウェブ１１０の搬送手段として機能するとともに、払拭ウェブ１１０で吸収された液体（廃液）の除去手段としても機能する。これにより、巻取コア１４２に巻き取られた払拭ウェブ１１０から廃液が垂れ落ちて、周囲を汚染したり、装置を故障させたりするのを防止できる。
【０１９５】
標準払拭ユニット１００（１００Ｃ、１００Ｍ、１００Ｙ、１００Ｋ）は、以上のように構成される。
【０１９６】
払拭装置６４は、この標準払拭ユニット１００Ｃ、１００Ｍ、１００Ｙ、１００Ｋが払拭装置本体１０２の払拭ユニット装着部１０４に装着されることにより構成される。
【０１９７】
なお、払拭装置６４の動作は、図示しない制御装置によって制御される。制御装置は、昇降装置、モータ１９４等の駆動を制御して、払拭装置６４による付与動作を制御する。
【０１９８】
標準払拭ユニット１００は、以上のように構成される。
【０１９９】
〈標準払拭ユニットの作用〉
次に、標準払拭ユニット１００（１００Ｃ、１００Ｍ、１００Ｙ、１００Ｋ）を用いた払拭動作について説明する。
【０２００】
〈払拭ウェブの装着〉
まず、払拭ウェブ１１０の装着方法について説明する。
【０２０１】
払拭ウェブ１１０は、繰出コア１３８にロール状に巻回された状態で提供され、その先端は巻取コア１４２に固定される。
【０２０２】
まず、標準払拭ユニット１００を払拭装置本体１０２から取り出し、ケース１１２の蓋１２８を開ける。蓋１２８を開けると、繰出軸１１４と巻取軸１１６とが露出するので、繰出軸１１４に繰出コア１３８を装着し、巻取軸１１６に巻取コア１４２を装着する。
【０２０３】
この際、払拭ウェブ１１０を第１前段ガイド１６０、押圧ローラ１１８、第１後段ガイド１６４、グリッドローラ１２４に巻き掛けながら、繰出コア１３８と巻取コア１４２を装着する。
【０２０４】
具体的には、まず、繰出コア１３８を繰出軸１１４に装着する。繰出コア１３８の装着は、繰出コア１３８を繰出軸１１４に嵌めることにより行われる。これにより、繰出コア１３８が、繰出軸１１４の周りを回動自在に支持される。
【０２０５】
次いで、繰出コア１３８から払拭ウェブ１１０を所定量引き出し、第２前段ガイド１６２と第２後段ガイド１６６の下を通して、払拭ウェブ１１０を第１前段ガイド１６０と押圧ローラ１１８と第１後段ガイド１６４の上に巻き掛ける。この際、第１前段ガイド１６０と押圧ローラ１１８と第１後段ガイド１６４への払拭ウェブ１１０の巻き掛けは、昇降ステージ１７０を下降させた状態、すなわち、第１前段ガイド１６０と押圧ローラ１１８と第１後段ガイド１６４を下方に退避させた状態で行う。これにより、第２前段ガイド１６２と第２後段ガイド１６６との間に十分なスペースを確保することができ、その第２前段ガイド１６２と第２後段ガイド１６６の下を通して、払拭ウェブ１１０を第１前段ガイド１６０と押圧ローラ１１８と第１後段ガイド１６４に巻き掛けやすくすることができる。
【０２０６】
第１前段ガイド１６０と押圧ローラ１１８と第１後段ガイド１６４に巻き掛けた払拭ウェブ１１０は、さらにグリッドローラ１２４に巻き掛け、最後に巻取コア１４２を巻取軸１１６に装着する。
【０２０７】
巻取コア１４２の装着は、巻取コア１４２を巻取軸１１６に嵌めることにより行われる。この際、巻取コア１４２の内周に形成されたキー溝１４２Ｃを巻取軸１１６の外周に形成されたキー１１６Ｄに嵌めて装着する。これにより、周方向の回転が規制された状態で巻取コア１４２が巻取軸１１６に装着される。そして、これにより、巻取軸１１６の回転を巻取コア１４２に伝達でき、巻取軸１１６とともに巻取コア１４２を回転させることができる。
【０２０８】
なお、上記のように、巻取軸１１６にはトルクリミッタ１１６Ｃが備えられているので、一定以上の負荷がかかると滑りが生じ、払拭ウェブ１１０を無理なく巻き取ることができる。
【０２０９】
以上の工程で払拭ウェブ１１０の装着が完了する。この後、ケース１１２の蓋１２８を閉める。
【０２１０】
ここで、蓋１２８が閉められると、蓋１２８の内側に備えられた繰出コア押え駒１３９が、繰出軸１１４に装着された繰出コア１３８の端面に当接し、繰出コア１３８を軸方向に押圧する。この結果、繰出コア１３８が、繰出コア押え駒１３９と繰出軸１１４のフランジ１１４Ａとの間に挟持され、フリクションが与えられる。そして、このようなフリクションが繰出コア１３８に与えられることにより、払拭ウェブ１１０は急な張力変化が生じたときでも弛むことなく、安定して走行することができる。
【０２１１】
また、蓋１２８が閉められると、蓋１２８の内側に備えられたガイド板１４３が、巻取軸１１６の先端に配置される。これにより、端面を揃えて払拭ウェブ１１０を巻取コア１４２に巻き取ることができる。
【０２１２】
＜払拭装置本体へのセッティング＞
次に、払拭装置本体１０２へのセッティング方法について説明する。
【０２１３】
払拭装置本体１０２への標準払拭ユニット１００のセッティングは、払拭装置本体１０２の払拭装置本体フレーム１０２Ａに形成された払拭ユニット装着部１０４に標準払拭ユニット１００を垂直に差し込むことにより行われる。
【０２１４】
標準払拭ユニット１００が払拭ユニット装着部１０４にセットされると、図１８（ｂ）に示すように、標準払拭ユニット１００の回転伝達ギア１８８が、払拭ユニット装着部１０４に設けられた駆動ギア１９２に噛み合わされる。これにより、巻取軸１１６及びグリッドローラ１２４が駆動可能になる。
【０２１５】
また、標準払拭ユニット１００が払拭ユニット装着部１０４にセットされると、昇降ステージ１７０に設けられた昇降レバー１７８が、払拭ユニット装着部１０４に設けられたピン１８２に係合し、昇降ステージ１７０が強制的に所定位置まで上昇させられる。この結果、第１前段ガイド１６０と押圧ローラ１１８と第１後段ガイド１６４とが、所定の使用位置に位置決めされる。そして、この第１前段ガイド１６０と押圧ローラ１１８と第１後段ガイド１６４とが、所定の使用位置に位置決めされることにより、第１前段ガイド１６０と押圧ローラ１１８との間に配置された第２前段ガイド１６２に払拭ウェブ１１０が巻き掛けられるとともに、押圧ローラ１１８と第１後段ガイド１６４との間に配置された第２後段ガイド１６６に払拭ウェブ１１０が巻き掛けられる。これにより、押圧ローラ１１８の周面に弛みなく払拭ウェブ１１０が巻き掛けられる。
【０２１６】
さらに、標準払拭ユニット１００が払拭ユニット装着部１０４にセットされると、図１９及び図２０に示すように、払拭ユニット装着部１０４に設けられたニップローラ２００がグリッドローラ１２４に押圧当接される。これにより、グリッドローラ１２４に巻き掛けられた払拭ウェブ１１０が、ニップローラ２００とグリッドローラ１２４との間にニップされる。
【０２１７】
以上により、払拭装置本体１０２への標準払拭ユニット１００のセッティングが完了する。
【０２１８】
払拭装置本体１０２にセットされた標準払拭ユニット１００は、モータ１９４を駆動することにより、繰出軸１１４から払拭ウェブ１１０が繰り出され、所定の走行経路を通って巻取軸１１６に巻き取られる。
【０２１９】
また、図８に示すように、傾斜して設けられたインクジェットヘッド１６Ｃ、１６Ｍ、１６Ｙ、１６Ｋのノズル面３０Ｃ、３０Ｍ、３０Ｙ、３０Ｋに対して、対応する標準払拭ユニット１００Ｃ、１００Ｍ、１００Ｙ、１００Ｙの押圧ローラ１１８が平行に配置される。これにより、各押圧ローラ１１８に巻き掛けられた払拭ウェブ１１０を対応するノズル面３０Ｃ、３０Ｍ、３０Ｙ、３０Ｋに密着させることができる。
【０２２０】
＜払拭動作＞
洗浄液付与装置６２と同様に、払拭装置６４は、インクジェットヘッド１６（１６Ｃ、１６Ｍ、１６Ｙ、１６Ｋ）がメンテナンス位置から画像記録位置に移動する過程でヘッドのノズル面３０（３０Ｃ、３０Ｍ、３０Ｙ、３０Ｋ）を払拭する。具体的には、次のようにノズル面を払拭する。
【０２２１】
上記のように、払拭装置本体１０２は、図示しない昇降装置によって払拭装置本体フレーム１０２Ａが昇降自在に設けられている。払拭装置本体フレーム１０２Ａは、清掃時以外、所定の待機位置に位置しており、清掃時のみ待機位置から所定量上昇して、所定の作動位置に移動する。
【０２２２】
払拭装置本体フレーム１０２Ａが作動位置に移動すると、各標準払拭ユニット１００Ｃ、１００Ｍ、１００Ｙ、１００Ｋによってヘッドのノズル面３０Ｃ、３０Ｍ、３０Ｙ、３０Ｋを払拭することが可能になる。すなわち、インクジェットヘッド１６Ｃ、１６Ｍ、１６Ｙ、１６Ｋが、各標準払拭ユニット１００Ｃ、１００Ｍ、１００Ｙ、１００Ｋを通過する際、そのノズル面３０Ｃ、３０Ｍ、３０Ｙ、３０Ｋに押圧ローラ１１８に巻き掛けられた払拭ウェブ１１０を押圧当接することが可能になる。
【０２２３】
洗浄液付与装置６２によってノズル面３０Ｃ、３０Ｍ、３０Ｙ、３０Ｋに洗浄液が付与された各インクジェットヘッド１６Ｃ、１６Ｍ、１６Ｙ、１６Ｋは、各標準払拭ユニット１００Ｃ、１００Ｍ、１００Ｙ、１００Ｋを通過する際、そのノズル面３０Ｃ、３０Ｍ、３０Ｙ、３０Ｋに押圧ローラ１１８に巻き掛けられた払拭ウェブ１１０が押圧当接される。これにより、ノズル面３０Ｃ、３０Ｍ、３０Ｙ、３０Ｋが払拭される。
【０２２４】
制御装置は、各インクジェットヘッド１６Ｃ、１６Ｍ、１６Ｙ、１６Ｋが、標準払拭ユニット１００Ｃ、１００Ｍ、１００Ｙ、１００Ｋに到達するタイミングに合わせて、モータ１９４を駆動し、払拭ウェブ１１０を走行させる。これにより、ノズル面３０Ｃ、３０Ｍ、３０Ｙ、３０Ｋに走行する払拭ウェブ１１０が押圧当接され、ノズル面３０Ｃ、３０Ｍ、３０Ｙ、３０Ｋが走行する払拭ウェブ１１０によって払拭される。
【０２２５】
この際、払拭ウェブ１１０は、ノズル面３０Ｃ、３０Ｍ、３０Ｙ、３０Ｋの移動方向と逆方向に走行して、ノズル面３０Ｃ、３０Ｍ、３０Ｙ、３０Ｋを払拭する。これにより、効率よくノズル面３０Ｃ、３０Ｍ、３０Ｙ、３０Ｋを払拭することができる。また、常に新しい面を使ってノズル面３０Ｃ、３０Ｍ、３０Ｙ、３０Ｋを払拭することができる。
【０２２６】
なお、払拭ウェブ１１０の走行は、次のように行われる。
【０２２７】
モータ１９４を駆動すると、その回転が駆動ギア１９２、回転伝達ギア１８８を介して巻取軸ギア１５８とグリッドローラギア１８６に伝達される。これにより、巻取軸１１６とグリッドローラ１２４とが回転する。
【０２２８】
グリッドローラ１２４が回転すると、払拭ウェブ１１０に送りが与えられ、払拭ウェブ１１０が繰出コア１３８から繰り出される。そして、巻取コア１４２に向けて送られる。
【０２２９】
この際、上記のように、繰出コア１３８にはフリクションが与えられているため、払拭ウェブ１１０に急な張力変化が生じても弛みを発生させることなく、払拭ウェブ１１０を繰り出すことができる。
【０２３０】
また、巻取軸ギア１５８が回転することにより、巻取コア１４２が回転し、これにより、払拭ウェブ１１０が巻き取られる。
【０２３１】
この際、本実施の形態の払拭装置６４では、グリッドローラ１２４で払拭ウェブ１１０を送る速度よりも巻取コア１４２で払拭ウェブ１１０を巻き取る速度の方が速くなるように設定されている。これにより、弛みなく安定して払拭ウェブ１１０を巻き取ることができる。
【０２３２】
一方、このように払拭ウェブ１１０の巻取速度を送り速度よりも速くすると、巻取コア１４２での巻き径が増したときに、巻取軸１１６に負荷がかかるが、本実施の形態の払拭装置６４では、巻取軸１１６にトルクリミッタ１１６Ｃが備えられているため、無理なく巻き取ることができ、安定して払拭ウェブ１１０を走行させることができる。
【０２３３】
以上のように、払拭ウェブ１１０は、モータ１９４を駆動することにより、走行させることができる。そして、このように走行する払拭ウェブ１１０をノズル面に当接させることにより、ノズル面が払拭ウェブ１１０によって払拭される。
【０２３４】
払拭を終えた払拭ウェブ１１０は、上記のように巻取コア１４２に巻き取られるが、その前段位置でグリッドローラ１２４とニップローラ２００とにニップされる。これにより、吸収した液体（洗浄液、インク等）が、廃液として払拭ウェブ１１０から除去される。
【０２３５】
払拭ウェブ１１０から除去された廃液は、自重で落下し、廃液受け２０２に回収される。廃液受け２０２に回収された廃液は、廃液口２０６から図示しない配管を介して廃液タンク５８に回収される。
【０２３６】
〈強力払拭ユニットの構成〉
次に、強力払拭ユニット３００Ｃ、３００Ｍ、３００Ｙ、３００Ｋの構成について説明する。
【０２３７】
なお、標準払拭ユニット１００Ｃ、１００Ｍ、１００Ｙ、１００Ｋと同様、強力払拭ユニット３００Ｃ、３００Ｍ、３００Ｙ、３００Ｋも各色のインクジェットヘッド１６Ｃ、１６Ｍ、１６Ｙ、１６Ｋに対応して設けられるが、その基本構成は共通しているので、ここでは「強力払拭ユニット３００」として、その構成を説明する。
【０２３８】
図２１は強力払拭ユニットの平面図、図２２は強力払拭ユニットを画像記録位置側から見た側面図、図２３は強力払拭ユニットの側面部分断面図、図２４は強力払拭ユニットの正面部分断面図である。
【０２３９】
図２１〜図２４に示すように、強力払拭ユニット３００は、回転する円盤状の払拭パッド３１０をインクジェットヘッドのノズル面に押圧当接させることにより、インクジェットヘッドのノズル面を払拭する。
【０２４０】
この強力払拭ユニット３００は、主として、払拭パッド３１０と、その払拭パッド３１０を回転駆動する回転駆動機構３１２と、その回転駆動機構３１２を収容するケース３１４とで構成される。
【０２４１】
ケース３１４は、上面部３１４Ａが傾斜した縦長の箱状に形成される。このケース３１４は、上記標準払拭ユニット１００のケース１１２とほぼ同じサイズ（縦×横×高さ）で形成され、払拭ユニット装着部１０４に交換して装着できるようにされる。
【０２４２】
また、このケース３１４の上面部３１４Ａは、払拭対象とするインクジェットヘッドのノズル面とほぼ同じ角度で傾斜して形成されている。すなわち、ケース３１４を払拭ユニット装着部１０４に装着した際、払拭対象とするインクジェットヘッドのノズル面と平行になるように形成されている。
【０２４３】
また、このケース３１４の底部には、払拭ユニット装着部１０４に装着したときにグリッドローラ１２４が接触するのを防止するための切欠き３１４Ｃが形成されている。
【０２４４】
払拭パッド３１０は、円盤状に形成されたベースプレート３１０Ａと、そのベースプレート３１０Ａの上面に貼り付けられたクッションプレート３１０Ｂと、クッションプレート３１０Ｂの上部に貼り付けられた払拭布３１０Ｃとで構成されている。
【０２４５】
ベースプレート３１０Ａは、容易に変形しない硬質な素材で円盤状に形成され、その裏面中央にはネジ穴３１０ａが形成される。
【０２４６】
クッションプレート３１０Ｂは、シリコンゴムやポリオレフィン等の弾性を有する素材で円盤状に形成され、ベースプレート３１０Ａの表面に貼り付けられる。
【０２４７】
払拭布３１０Ｃは、上記標準払拭ユニット１００の払拭ウェブ１１０と同じ素材のシート（たとえば、ＰＥＴ、ＰＥ、ＮＹ等の極微細繊維を用いた編み又は織りからなるシート）を用いて円形状に形成され、クッションプレート３１０Ｂの表面に貼り付けられる。
【０２４８】
以上のように構成される払拭パッド３１０は、ケース３１４の上面部３１４Ａから突出して設けられた払拭パッド駆動軸３１６に取り付けられる。
【０２４９】
回転駆動機構３１２は、強力払拭ユニット３００を払拭ユニット装着部１０４に装着した際、払拭ユニット装着部１０４に設けられたモータ１９４から動力を得て、払拭パッド駆動軸３１６を回転駆動する。
【０２５０】
この回転駆動機構３１２は、図２３に示すように、主として、第１ギア３１８と、その第１ギア３１８に噛み合わされた第２ギア３２０と、第２ギア３２０と同軸上に取り付けられた第３ギア３２２と、第３ギア３２２に噛み合わされた第４ギア３２４と、第４ギア３２４と同軸上に取り付けられた第５ギア３２６と、第５ギア３２６に噛み合わされた第６ギア３２８と、払拭パッド駆動軸３１６に取り付けられ、第６ギア３２８に噛み合わされた第７ギア３３０とで構成される。
【０２５１】
第１ギア３１８は、平歯車で構成される。この第１ギア３１８は、第１回転軸３３２に取り付けられて、ケース３１４の背面下端部に配置される。
【０２５２】
第１回転軸３３２は、ケース３１４の背壁面部３１４Ｂに設けられた第１軸受部３３４に回転自在に支持されて、ケース３１４の背壁面部３１４Ｂに水平に取り付けられる。
【０２５３】
第１ギア３１８は、強力払拭ユニット３００を払拭ユニット装着部１０４に装着すると、駆動ギア１９２に噛み合わされる。
【０２５４】
第１ギア３１８に噛み合わされる第２ギア３２０は、平歯車で構成される。この第２ギア３２０は、第２回転軸３３６の一端に取り付けられて、第１ギア３１８に噛み合わされる。
【０２５５】
第２回転軸３３６は、ケース３１４の背壁面部３１４Ｂに設けられた第２軸受部３３８に回転自在に支持されて、ケース３１４の背壁面部３１４Ｂに水平に取り付けられる。この第２回転軸３３６は、ケース３１４の背壁面部３１４Ｂを貫通して設けられており、その他端に第３ギア３２２が取り付けられる。
【０２５６】
第３ギア３２２は、傘歯車で構成される。上記のように、この第３ギア３２２は、第２回転軸３３６の他端に取り付けられる。したがって、第２ギア３２０が回転すると、その第２ギア３２０の回転数と同じ回転数で回転する。
【０２５７】
第３ギア３２２に噛み合わされる第４ギア３２４は、傘歯車で構成される。この第４ギア３２４は、垂直に配置された第３回転軸３４０の下端に取り付けられて、第３ギア３２２に噛み合わされる。
【０２５８】
第３回転軸３４０は、ケース３１４の背壁面部３１４Ｂの内側に設けられた第３軸受部３４２に回転自在に支持されて、ケース３１４の内側に垂直に配置される。この第３回転軸３４０の上端には、第５ギア３２６が取り付けられる。
【０２５９】
第５ギア３２６は、傘歯車で構成される。上記のように、この第５ギア３２６は、第３回転軸３４０の上端部に取り付けられる。したがって、第４ギア３２４が回転すると、その第４ギア３２４と同じ回転数で回転する。
【０２６０】
第５ギア３２６に噛み合わされる第６ギア３２８は、傘歯車で構成される。この第６ギア３２８は、第４回転軸３４４に取り付けられて、第５ギア３２６に噛み合わされる。
【０２６１】
第４回転軸３４４は、ケース３１４の背壁面部３１４Ｂに設けられた第４軸受部３４６に回転自在に支持されて、ケース３１４の背壁面部３１４Ｂに水平に取り付けられる。
【０２６２】
第６ギア３２８に噛み合わされる第７ギア３３０は、傘歯車で構成される。上記のように、この第７ギア３３０は、払拭パッド駆動軸３１６に取り付けられる。
【０２６３】
払拭パッド駆動軸３１６は、主軸３５０と、その主軸３５０の先端に装着されるキャップ３５２と、キャップ３５２を軸方向に付勢するバネ３５４とで構成される。
【０２６４】
主軸３５０は、ケース３１４の上面部３１４Ａに設けられた主軸受部３４８に回転自在に支持されて、ケース３１４の上面部３１４Ａに垂直に配置される。なお、ケース３１４の上面部３１４Ａは傾斜して配置されているので、主軸３５０も傾斜して配置される。すなわち、主軸３５０は、強力払拭ユニット３００を払拭ユニット装着部１０４に装着したとき、ノズル面に対して直交するように配置される。第７ギア３３０は、この主軸３５０の下端部に取り付けられる。
【０２６５】
キャップ３５２は、円筒状に形成されたキャップ本体部３５２Ａと、そのキャップ本体部３５２Ａの先端に設けられた円盤状のパッド支持部３５２Ｂと、パッド支持部３５２Ｂの上面中央部に突出して形成されたネジ部３５２Ｃとで構成される。
【０２６６】
キャップ本体部３５２Ａは、円筒状に形成され、その内径は主軸３５０の外径とほぼ同径に形成される。すなわち、キャップ本体部３５２Ａは、主軸３５０を挿入可能に形成される。
【０２６７】
キャップ３５２は、このキャップ本体部３５２Ａの内周部に主軸３５０を挿入することにより、主軸３５０に装着される。
【０２６８】
ここで、図２３に示すように、キャップ本体部３５２Ａの内周部には、周方向に一定の間隔で複数のキー溝３５２Ｄが形成される。一方、主軸３５０の先端部の外周には、周方向に一定の間隔で複数のキー３５０Ａが形成される。
【０２６９】
キャップ３５２は、キャップ本体部３５２Ａの内周部に主軸３５０を挿入して、主軸３５０に装着する際、そのキャップ本体部３５２Ａの内周部に形成されたキー溝３５２Ｄに主軸３５０に形成されたキー３５０Ａを嵌合させて装着する。このように装着されたキャップ３５２は、主軸３５０に対して周方向の移動が規制される一方、軸方向に移動自在に装着される。すなわち、主軸３５０の回転が伝達可能に装着される一方、軸方向に移動可能に装着される。
【０２７０】
パッド支持部３５２Ｂは、円盤状に形成され、キャップ本体部３５２Ａの先端に一体的に形成される。
【０２７１】
ネジ部３５２Ｃは、キャップ本体部３５２Ａの中央部に突出して形成される。このネジ部３５２Ｃは、払拭パッド３１０の取付手段（締結手段）として機能し、払拭パッド駆動軸３１６の回転方向と逆方向の雄ネジで構成される。払拭パッド３１０は、そのベースプレート３１０Ａの裏面に形成されたネジ穴３１０ａをこのネジ部３５２Ｃに螺合させることにより、払拭パッド駆動軸３１６に取り付けられる。
【０２７２】
バネ３５４は、キャップ本体部３５２Ａの内周部に収容される。キャップ３５２は、このバネ３５４を収容した状態で主軸３５０に装着される。これにより、キャップ３５２が軸方向に付勢される。
【０２７３】
以上のように構成された回転駆動機構３１２は、第１ギア３１８を回転させると、その回転が第２ギア３２０、第３ギア３２２、第４ギア３２４、第５ギア３２６、第６ギア３２８を介して第７ギア３３０に伝達され、その第７ギア３３０が取り付けられた払拭パッド駆動軸３１６が回転する。そして、この払拭パッド駆動軸３１６が回転することにより、払拭パッド駆動軸３１６に取り付けられた払拭パッド３１０が回転する。
【０２７４】
強力払拭ユニット３００は、以上のように構成される。
【０２７５】
〈強力払拭ユニットの作用〉
次に、この強力払拭ユニット３００（３００Ｃ、３００Ｍ、３００Ｙ、３００Ｋ）を用いた払拭動作について説明する。
【０２７６】
〈払拭パッドの装着〉
まず、強力払拭ユニット３００への払拭パッド３１０の装着方法について説明する。
【０２７７】
払拭パッド３１０は、そのベースプレート３１０Ａの裏面に形成されたネジ穴３１０ａを払拭パッド駆動軸３１６の先端に形成されたネジ部３５２Ｃに螺合させることにより、払拭パッド駆動軸３１６に装着される。
【０２７８】
なお、ネジ穴３１０ａとネジ部３５２Ｃは、払拭パッド駆動軸３１６の回転方向と逆方向のネジで締結されるため、回転中に払拭パッド３１０が外れることはない。
【０２７９】
〈払拭装置本体へのセッティング〉
次に、払拭パッド３１０が装着された強力払拭ユニット３００を払拭装置本体１０２にセットする方法について説明する。
【０２８０】
標準払拭ユニット１００のときと同様に払拭装置本体１０２への強力払拭ユニット３００のセッティングは、払拭装置本体１０２に形成された払拭ユニット装着部１０４に強力払拭ユニット３００を垂直に差し込むことにより行われる。
【０２８１】
強力払拭ユニット３００は、払拭ユニット装着部１０４に垂直に差し込むと、所定位置で図示しないロック機構にロックされる。これにより、強力払拭ユニット３００が払拭ユニット装着部１０４にセットされる。
【０２８２】
強力払拭ユニット３００が払拭ユニット装着部１０４にセットされると、図２５（ｂ）及び図２６に示すように、強力払拭ユニット３００の第１ギア３１８が、払拭ユニット装着部１０４に設けられた駆動ギア１９２に噛み合わされる。これにより、第１ギア３１８を回転駆動することが可能になり、強力払拭ユニット３００を動作させることが可能になる。
【０２８３】
また、図２２に示すように、払拭パッド３１０がノズル面３０に対して平行に配置される。これにより、払拭パッド３１０をノズル面３０に当接させることが可能になる。
【０２８４】
〈払拭動作〉
標準払拭ユニット１００のときと同様にスライド移動するインクジェットヘッド１６（１６Ｃ、１６Ｍ、１６Ｙ、１６Ｋ）のノズル面３０（３０Ｃ、３０Ｍ、３０Ｙ、３０Ｋ）に対して払拭パッド３１０を当接させることにより、ノズル面３０を払拭する。この際、払拭パッド３１０を回転させながら、ノズル面３０に当接させて、ノズル面３０を払拭する。具体的には、次のように行う。
【０２８５】
上記のように、払拭装置６４は、払拭装置本体フレーム１０２Ａが図示しない昇降装置によって昇降自在に設けられている。払拭装置本体フレーム１０２Ａは、清掃時以外は所定の待機位置に位置しており、清掃時にのみ待機位置から所定量上昇して、所定の作動位置に移動する。
【０２８６】
払拭装置本体フレーム１０２Ａが作動位置に移動すると、各強力払拭ユニット３００Ｃ、３００Ｍ、３００Ｙ、３００Ｋによってヘッドのノズル面３０Ｃ、３０Ｍ、３０Ｙ、３０Ｋを払拭することが可能になる。すなわち、インクジェットヘッド１６Ｃ、１６Ｍ、１６Ｙ、１６Ｋが、各強力払拭ユニット３００Ｃ、３００Ｍ、３００Ｙ、３００Ｋを通過する際、そのノズル面３０Ｃ、３０Ｍ、３０Ｙ、３０Ｋに払拭パッド３１０を押圧当接することが可能になる。
【０２８７】
洗浄液付与装置６２によってノズル面３０Ｃ、３０Ｍ、３０Ｙ、３０Ｋに洗浄液が付与された各インクジェットヘッド１６Ｃ、１６Ｍ、１６Ｙ、１６Ｋは、各強力払拭ユニット３００Ｃ、３００Ｍ、３００Ｙ、３００Ｋを通過する際、そのノズル面３０Ｃ、３０Ｍ、３０Ｙ、３０Ｋに回転する払拭パッド３１０が押圧当接される。これにより、ノズル面３０Ｃ、３０Ｍ、３０Ｙ、３０Ｋが払拭される。
【０２８８】
制御装置は、各インクジェットヘッド１６Ｃ、１６Ｍ、１６Ｙ、１６Ｋが、強力払拭ユニット３００Ｃ、３００Ｍ、３００Ｙ、３００Ｋに到達するタイミングに合わせて、モータ１９４を駆動し、払拭パッド３１０を回転させる。そして、各インクジェットヘッド１６Ｃ、１６Ｍ、１６Ｙ、１６Ｋが、強力払拭ユニット３００Ｃ、３００Ｍ、３００Ｙ、３００Ｋに到達するタイミングに合わせて、昇降装置を駆動し、払拭装置本体フレーム１０２Ａを作動位置に移動させて、回転する払拭パッド３１０をノズル面３０Ｃ、３０Ｍ、３０Ｙ、３０Ｋに当接させる。これにより、回転する払拭パッド３１０がノズル面３０Ｃ、３０Ｍ、３０Ｙ、３０Ｋに押圧当接され、ノズル面３０Ｃ、３０Ｍ、３０Ｙ、３０Ｋが払拭パッド３１０によって払拭される。
【０２８９】
ここで、払拭パッド３１０は、回転しているため、ノズル面３０Ｃ、３０Ｍ、３０Ｙ、３０Ｋをさまざまな方向から払拭することができ、効果的に付着物を除去することができる。特に、ノズル穴の内周縁に付着する汚れ等を効果的に除去することができる。
【０２９０】
また、払拭パッド３１０は、払拭パッド駆動軸３１６によって軸方向に付勢されているため、無理な力を掛けずにノズル面３０Ｃ、３０Ｍ、３０Ｙ、３０Ｋを払拭することができる。
【０２９１】
このように、強力払拭ユニット３００を用いた払拭では、回転する払拭パッド３１０をノズル面に当接させることにより、ノズル面を払拭する。
【０２９２】
≪ノズル面清掃装置の作用≫
次に、以上のように構成される本実施の形態のノズル面清掃装置６０によるノズル面の清掃動作について説明する。
【０２９３】
ノズル面の清掃は、各インクジェットヘッド１６Ｃ、１６Ｍ、１６Ｙ、１６Ｋをメンテナンス位置から画像記録位置に移動させる過程で行われる。
【０２９４】
各インクジェットヘッド１６Ｃ、１６Ｍ、１６Ｙ、１６Ｋは、メンテナンス位置から画像記録位置に移動する過程で、まず、洗浄液付与装置６２によりノズル面３０Ｃ、３０Ｍ、３０Ｙ、３０Ｋに洗浄液が付与され、その後、払拭装置６４により、ノズル面３０Ｃ、３０Ｍ、３０Ｙ、３０Ｋが払拭される。
【０２９５】
ここで、本実施の形態のインクジェット記録装置では、払拭装置６４による払拭動作を変えることができ、状況に応じた払拭を行うことができる。すなわち、標準払拭ユニット１００を用いた標準的な払拭と、強力払拭ユニット３００を用いた強力な払拭とを選択することができ、状況に応じて使い分けることができる。
【０２９６】
なお、通常は、標準払拭ユニット１００を用いた標準的な払拭が行われ、汚れがひどい場合などに強力払拭ユニット３００を用いた強力な払拭が行われる。
【０２９７】
〈標準払拭ユニット１００を用いた清掃方法〉
まず、標準払拭ユニット１００を用いた清掃方法について説明する。
【０２９８】
この場合、払拭装置６４の払拭装置本体１０２に標準払拭ユニット１００を装着する。
【０２９９】
ノズル面の清掃指令が制御装置に入力されると、制御装置は、洗浄液付与装置６２の洗浄液付与装置本体７２を所定の作動位置に移動させる。これにより、洗浄液付与装置６２による洗浄液の付与が可能になる。
【０３００】
洗浄液付与装置６２を所定の作動位置に移動させた後、制御装置は、ヘッド支持フレーム４０をメンテナンス位置から画像記録位置に向けて所定の移動速度で移動させる。
【０３０１】
その一方で制御装置は、各インクジェットヘッド１６Ｃ、１６Ｍ、１６Ｙ、１６Ｋが、洗浄液付与ユニット７０Ｃ、７０Ｍ、７０Ｙ、７０Ｋの洗浄液付与ヘッド７４に到達するタイミングに合わせて、洗浄液供給ポンプを駆動する。これにより、各洗浄液付与ユニット７０Ｃ、７０Ｍ、７０Ｙ、７０Ｋに備えられた洗浄液付与ヘッド７４の洗浄液噴出口７８から洗浄液が所定の流量で流れ出る。洗浄液噴出口７８から流れ出た洗浄液は、洗浄液保持面７４Ａを流れ落ちる。
【０３０２】
メンテナンス位置に向かうインクジェットヘッド１６Ｃ、１６Ｍ、１６Ｙ、１６Ｋは、この洗浄液付与ヘッド７４を通過する際、その洗浄液付与ヘッド７４の洗浄液保持面７４Ａを流れる洗浄液がノズル面３０Ｃ、３０Ｍ、３０Ｙ、３０Ｋに接触し、ノズル面３０Ｃ、３０Ｍ、３０Ｙ、３０Ｋに洗浄液が付与される。
【０３０３】
洗浄液が付与されたノズル面３０Ｃ、３０Ｍ、３０Ｙ、３０Ｋは、そのままメンテナンス位置に向かって移動する。そして、標準払拭ユニット１００Ｃ、１００Ｍ、１００Ｙ、１００Ｋを通過する際、そのノズル面３０Ｃ、３０Ｍ、３０Ｙ、３０Ｋが払拭清掃される。
【０３０４】
制御装置は、各インクジェットヘッド１６Ｃ、１６Ｍ、１６Ｙ、１６Ｋが、標準払拭ユニット１００Ｃ、１００Ｍ、１００Ｙ、１００Ｋに到達するタイミングに合わせて、モータ１９４を駆動し、払拭ウェブ１１０を走行させる。
【０３０５】
また、各インクジェットヘッド１６Ｃ、１６Ｍ、１６Ｙ、１６Ｋが、標準払拭ユニット１００Ｃ、１００Ｍ、１００Ｙ、１００Ｋに到達するタイミングに合わせて、昇降装置（図示せず）を駆動し、払拭装置本体１０２の払拭装置本体フレーム１０２Ａを作動位置に移動させる。
【０３０６】
これにより、ノズル面３０Ｃ、３０Ｍ、３０Ｙ、３０Ｋに走行する払拭ウェブ１１０が押圧当接され、ノズル面３０Ｃ、３０Ｍ、３０Ｙ、３０Ｋが払拭清掃される。
【０３０７】
制御装置は、ノズル面３０Ｃ、３０Ｍ、３０Ｙ、３０Ｋが、洗浄液付与ユニット７０Ｃ、７０Ｍ、７０Ｙ、７０Ｋを通過し終えると、洗浄液供給ポンプの駆動を停止し、洗浄液の供給を停止する。そして、洗浄液付与装置６２を待機位置に退避させる。
【０３０８】
また、ノズル面３０Ｃ、３０Ｍ、３０Ｙ、３０Ｋが、標準払拭ユニット１００Ｃ、１００Ｍ、１００Ｙ、１００Ｋを通過し終えると、モータ１９４の駆動を停止し、払拭ウェブ１１０の走行を停止する。そして、払拭装置本体１０２の払拭装置本体フレーム１０２Ａを待機位置に退避させる。
【０３０９】
以上一連の工程でインクジェットヘッド１６Ｃ、１６Ｍ、１６Ｙ、１６Ｋのノズル面３０Ｃ、３０Ｍ、３０Ｙ、３０Ｋの清掃が終了する。
【０３１０】
このように、標準払拭ユニット１００を用いた清掃では、ノズル面３０Ｃ、３０Ｍ、３０Ｙ、３０Ｋに洗浄液を付与した後、ノズル面３０Ｃ、３０Ｍ、３０Ｙ、３０Ｋの双方向法と反対方向に走行する払拭ウェブ１１０をノズル面３０Ｃ、３０Ｍ、３０Ｙ、３０Ｋに当接させて、ノズル面３０Ｃ、３０Ｍ、３０Ｙ、３０Ｋを払拭し、ノズル面３０Ｃ、３０Ｍ、３０Ｙ、３０Ｋを清掃する。
【０３１１】
〈強力払拭ユニット３００を用いた清掃方法〉
次に、強力払拭ユニット３００を用いた清掃方法について説明する。
【０３１２】
標準払拭ユニット１００を用いた清掃では、一方向の払拭となるため、ノズル穴内部の払拭方向上流側にあるインク由来の付着物を十分に除去できないおそれがある。
【０３１３】
そこで、このような付着物を堆積させることなく、ノズル面を正常に保つため、強力払拭ユニット３００を用いた払拭が行われる。
【０３１４】
強力払拭ユニット３００を用いた払拭は、強力払拭ユニット３００を標準払拭ユニット１００に代えて払拭装置６４に装着することにより行われる。
【０３１５】
ノズル面の清掃指令が制御装置に入力されると、制御装置は、洗浄液付与装置６２の洗浄液付与装置本体７２を所定の作動位置に移動させる。これにより、洗浄液付与装置６２による洗浄液の付与が可能になる。
【０３１６】
洗浄液付与装置６２を所定の作動位置に移動させた後、制御装置は、ヘッド支持フレーム４０をメンテナンス位置から画像記録位置に向けて所定の移動速度で移動させる。
【０３１７】
その一方で制御装置は、各インクジェットヘッド１６Ｃ、１６Ｍ、１６Ｙ、１６Ｋが、洗浄液付与ユニット７０Ｃ、７０Ｍ、７０Ｙ、７０Ｋの洗浄液付与ヘッド７４に到達するタイミングに合わせて、洗浄液供給ポンプを駆動する。これにより、各洗浄液付与ユニット７０Ｃ、７０Ｍ、７０Ｙ、７０Ｋに備えられた洗浄液付与ヘッド７４の洗浄液噴出口７８から洗浄液が所定の流量で流れ出る。洗浄液噴出口７８から流れ出た洗浄液は、洗浄液保持面７４Ａを流れ落ちる。
【０３１８】
メンテナンス位置に向かうインクジェットヘッド１６Ｃ、１６Ｍ、１６Ｙ、１６Ｋは、この洗浄液付与ヘッド７４を通過する際、その洗浄液付与ヘッド７４の洗浄液保持面７４Ａを流れる洗浄液がノズル面３０Ｃ、３０Ｍ、３０Ｙ、３０Ｋに接触し、ノズル面３０Ｃ、３０Ｍ、３０Ｙ、３０Ｋに洗浄液が付与される。
【０３１９】
洗浄液が付与されたノズル面３０Ｃ、３０Ｍ、３０Ｙ、３０Ｋは、そのままメンテナンス位置に向かって移動する。そして、強力払拭ユニット３００Ｃ、３００Ｍ、３００Ｙ、３００Ｋを通過する際、そのノズル面３０Ｃ、３０Ｍ、３０Ｙ、３０Ｋが払拭清掃される。
【０３２０】
制御装置は、各インクジェットヘッド１６Ｃ、１６Ｍ、１６Ｙ、１６Ｋが、強力払拭ユニット３００Ｃ、３００Ｍ、３００Ｙ、３００Ｋに到達するタイミングに合わせて、モータ１９４を駆動し、払拭パッド３１０を回転させる。
【０３２１】
また、各インクジェットヘッド１６Ｃ、１６Ｍ、１６Ｙ、１６Ｋが、強力払拭ユニット３００Ｃ、３００Ｍ、３００Ｙ、３００Ｋに到達するタイミングに合わせて、昇降装置（図示せず）を駆動し、払拭装置本体１０２の払拭装置本体フレーム１０２Ａを作動位置に移動させる。
【０３２２】
これにより、ノズル面３０Ｃ、３０Ｍ、３０Ｙ、３０Ｋに回転する払拭パッド３１０が押圧当接され、ノズル面３０Ｃ、３０Ｍ、３０Ｙ、３０Ｋが払拭清掃される。
【０３２３】
制御装置は、ノズル面３０Ｃ、３０Ｍ、３０Ｙ、３０Ｋが、洗浄液付与ユニット７０Ｃ、７０Ｍ、７０Ｙ、７０Ｋを通過し終えると、洗浄液供給ポンプの駆動を停止し、洗浄液の供給を停止する。そして、洗浄液付与装置６２を待機位置に退避させる。
【０３２４】
また、ノズル面３０Ｃ、３０Ｍ、３０Ｙ、３０Ｋが、強力払拭ユニット３００Ｃ、３００Ｍ、３００Ｙ、３００Ｋを通過し終えると、モータ１９４の駆動を停止し、払拭パッド３１０の回転を停止する。そして、払拭装置本体１０２の払拭装置本体フレーム１０２Ａを待機位置に退避させる。
【０３２５】
以上一連の工程でインクジェットヘッド１６Ｃ、１６Ｍ、１６Ｙ、１６Ｋのノズル面３０Ｃ、３０Ｍ、３０Ｙ、３０Ｋの清掃が終了する。
【０３２６】
このように、強力払拭ユニット３００を用いた清掃では、ノズル面３０Ｃ、３０Ｍ、３０Ｙ、３０Ｋに洗浄液を付与した後、回転する払拭パッド３１０をノズル面３０Ｃ、３０Ｍ、３０Ｙ、３０Ｋに当接させて、ノズル面３０Ｃ、３０Ｍ、３０Ｙ、３０Ｋを払拭し、ノズル面３０Ｃ、３０Ｍ、３０Ｙ、３０Ｋを清掃する。
【０３２７】
以上説明したように、本実施の形態の払拭装置６４では、払拭動作を変えることができるのせ、ノズル面を効果的に払拭することができる。特に、ノズル穴内部にあるインク由来の付着物を効果的に除去することができる。
【０３２８】
また、払拭ユニットを交換するだけなので、その切り替えも簡単に行うことができる。
【０３２９】
また、払拭ユニットは、駆動源（モータ１９４）を共用しているので、構成を簡素化することができるとともに、製造コストも抑えることができる。
【０３３０】
≪他の実施の形態≫
〈払拭ユニットの他の実施の形態〉
上記実施の形態では、走行する帯状の払拭ウェブ１１０をノズル面に当接させて、ノズル面を払拭する標準払拭ユニット１００と、回転する円盤状の払拭パッド３１０をノズル面に当接させて、ノズル面を払拭する強力払拭ユニット３００の２つの払拭ユニットを用意し、交換して装着できるように構成しているが、払拭ユニットによる払拭動作は、これに限定されるものではない。
【０３３１】
図２７は、払拭ユニットの他の一例を示す側面部分断面図である。
【０３３２】
同図に示すように、本例の払拭ユニットは、往復動する払拭パッドをノズル面に当接させて、ノズル面を払拭する。
【０３３３】
この払拭ユニット（以下「往復払拭ユニット」という。）４００は、主として、払拭パッド４１０と、その払拭パッド４１０を往復動させる往復駆動機構４１２と、その往復駆動機構４１２を収容するケース３１４とで構成される。
【０３３４】
ケース３１４の基本構成は、上述した強力払拭ユニット３００のケース３１４の構成と同じである。したがって、同一符号を付して、その説明は省略する。
【０３３５】
払拭パッド４１０は、矩形の平板状に形成されている点を除いて、上述した強力払拭ユニット３００の払拭パッド３１０の構成と同じである。すなわち、ベースプレート４１０Ａと、そのベースプレート４１０Ａの上面に貼り付けられたクッションプレート４１０Ｂと、クッションプレート４１０Ｂの上部に貼り付けられた払拭布４１０Ｃとで構成される。
【０３３６】
往復駆動機構４１２は、回転動力伝達部４１２Ａと、動力変換部４１２Ｂとで構成される。
【０３３７】
回転動力伝達部４１２Ａは、往復払拭ユニット４００を払拭ユニット装着部１０４に装着した際、払拭ユニット装着部１０４に設けられたモータ１９４から回転動力を得て、その回転動力を動力変換部４１２Ｂに伝達する。
【０３３８】
この回転動力伝達部４１２Ａの基本構成は、上述した強力払拭ユニット３００の回転駆動機構３１２の構成と同じである。すなわち、第１ギア３１８と、その第１ギア３１８に噛み合わされた第２ギア３２０と、第２ギア３２０と同軸上に取り付けられた第３ギア３２２と、第３ギア３２２に噛み合わされた第４ギア３２４と、第４ギア３２４と同軸上に取り付けられた第５ギア３２６と、第５ギア３２６に噛み合わされた第６ギア３２８と、払拭パッド駆動軸３１６に取り付けられ、第６ギア３２８に噛み合わされた第７ギア３３０とで構成される。
【０３３９】
このように、回転動力伝達部４１２Ａの基本構成は、強力払拭ユニット３００の回転駆動機構３１２の構成と同じなので、その詳細な説明は省略する。
【０３４０】
動力変換部４１２Ｂは、回転動力伝達部４１２Ａから伝達される回転動力を往復動力に変換する。この動力変換部４１２Ｂは、図２７〜図２９に示すように、主として、入力軸４２０と、回転板４２２と、往復動体４２４、往復動ガイド４２６とで構成される。
【０３４１】
入力軸４２０は、ケース３１４の上面部３１４Ａに形成された主軸受部３４８に回転自在に支持されて、ケース３１４の上面部３１４Ａに垂直に配置される。回転動力伝達部４１２Ａの第７ギア３３０は、この入力軸４２０に取り付けられる。したがって、第７ギア３３０が回転すると、この入力軸４２０が回転する。
【０３４２】
回転板４２２は、円盤状に形成され、入力軸４２０の先端同軸上に取り付けられる。したがって、入力軸４２０が回転すると、この回転板４２２も回転する。この回転板４２２の上面には、回転板４２２の回転中心に対して、偏芯した位置に円柱状の偏芯ピン４３６が突出して設けられる。
【０３４３】
往復動体４２４は、基台部４３０と、その基台部４３０に対して上下方向に摺動自在に設けられた払拭パッド取付板４３２と、払拭パッド取付板４３２を突出方向に付勢するバネ４３４とで構成される。
【０３４４】
基台部４３０は、矩形の平板状に形成され、その両サイドにスライド部４３０Ａを有している。基台部４３０は、このスライド部４３０Ａを往復動ガイド４２６にガイドされて、インクジェットヘッド１６の移動方向と直交する方向に往復移動自在に支持される。
【０３４５】
往復動ガイド４２６は、一対のガイドレール４２６Ａで構成され、往復動体４２４を挟んでケース３１４の上面部３１４Ａに取り付けられる。基台部４３０のスライド部４３０Ａは、このガイドレール４２６Ａのガイド溝４２６ａに嵌入されて、スライド自在に支持される。
【０３４６】
基台部４３０の下面中央には、長穴４２８が形成される。この長穴４２８には、回転板４２８の上面に設けられた偏芯ピン４３６が嵌入される。
【０３４７】
図３０に示すように、回転板４２２が回転すると、回転板４２８に設けられた偏芯ピン４３６が、長穴４２８の内壁面を押し、この結果、基台部４３０がガイドレール４２６Ａに沿って往復動する。
【０３４８】
基台部４３０の上面には、凹部４４０が形成される。払拭パッド取付板４３２は、この凹部４４０に嵌合する嵌合部４３２Ａと、払拭パッド３１０が取り付けられる払拭パッド取付部４３２Ｂと、その嵌合部４３２Ａと払拭パッド取付部４３２Ｂとを連結する連結部４３２Ｃとで構成される。払拭パッド取付板４３２は、嵌合部４３２Ａが基台部４３０の凹部４４０内を摺動することにより、上下方向に摺動自在に支持される。
【０３４９】
バネ４３４は、基台部４３０の凹部４４０に収容され、払拭パッド取付板４３２を突出方向に付勢する。
【０３５０】
以上のように構成される動力変換部４１２Ｂは、入力軸４２０が回転駆動されると、回転板４２２が回転し、この回転が偏芯ピン４３６と長穴４２８の作用で往復運動に変換されて、往復動体４２４が往復動する。そして、この往復動体４２４が往復動することにより、往復動体４２４に取り付けられる払拭パッド４１０が往復動する。
【０３５１】
なお、払拭パッド４１０は、上記強力払拭ユニット３００と同様、たとえば、ネジにより往復動体４２４の払拭パッド取付板４３２に取り付けられる。
【０３５２】
〈往復払拭ユニットの作用〉
次に、この往復払拭ユニット４００を用いた払拭動作について説明する。
【０３５３】
〈払拭装置本体へのセッティング〉
上記標準払拭ユニット１００のときと同様に払拭装置本体１０２への往復払拭ユニット４００のセッティングは、払拭装置本体１０２に形成された払拭ユニット装着部１０４に往復払拭ユニット４００を垂直に差し込むことにより行われる。
【０３５４】
往復払拭ユニット４００は、払拭ユニット装着部１０４に垂直に差し込むと、所定位置で図示しないロック機構にロックされる。これにより、強力払拭ユニット３００が払拭ユニット装着部１０４にセットされる。
【０３５５】
往復払拭ユニット４００が払拭ユニット装着部１０４にセットされると、往復払拭ユニット４００の第１ギア３１８が、払拭ユニット装着部１０４に設けられた駆動ギア１９２に噛み合わされる。これにより、第１ギア３１８を回転駆動することが可能になり、往復払拭ユニット４００を動作させることが可能になる。
【０３５６】
〈払拭動作〉
標準払拭ユニット１００のときと同様にスライド移動するインクジェットヘッド１６（１６Ｃ、１６Ｍ、１６Ｙ、１６Ｋ）のノズル面３０（３０Ｃ、３０Ｍ、３０Ｙ、３０Ｋ）に対して払拭パッド３１０を当接させることにより、ノズル面３０を払拭する。この際、払拭パッド３１０を回転させながら、ノズル面３０に当接させて、ノズル面３０を払拭する。具体的には、次のように行う。
【０３５７】
上記のように、払拭装置６４は、払拭装置本体フレーム１０２Ａが図示しない昇降装置によって昇降自在に設けられている。払拭装置本体フレーム１０２Ａは、清掃時以外は所定の待機位置に位置しており、清掃時にのみ待機位置から所定量上昇して、所定の作動位置に移動する。
【０３５８】
払拭装置本体フレーム１０２Ａが作動位置に移動すると、各往復払拭ユニット４００によってヘッドのノズル面３０を払拭することが可能になる。すなわち、インクジェットヘッド１６が、往復払拭ユニット４００を通過する際、そのノズル面３０に払拭パッド４１０を押圧当接することが可能になる。
【０３５９】
洗浄液付与装置６２によってノズル面３０に洗浄液が付与されたインクジェットヘッド１６は、往復払拭ユニット４００を通過する際、そのノズル面３０に往復動する払拭パッド４１０が押圧当接される。これにより、ノズル面３０が払拭される。
【０３６０】
制御装置は、インクジェットヘッド１６が、往復払拭ユニット４００に到達するタイミングに合わせて、モータ１９４を駆動し、払拭パッド４１０を往復動させる。そして、インクジェットヘッド１６が、往復払拭ユニット４００に到達するタイミングに合わせて、昇降装置を駆動し、払拭装置本体フレーム１０２Ａを作動位置に移動させて、往復動する払拭パッド４１０をノズル面３０に当接させる。これにより、往復動する払拭パッド４１０がノズル面３０に押圧当接され、ノズル面３０が払拭パッド４１０によって払拭される。
【０３６１】
ここで、払拭パッド４１０は、往復動しているため、ノズル面３０を２方向から払拭することができ、効果的に付着物を除去することができる。特に、ノズル穴の内周縁に付着する汚れ等を効果的に除去することができる。
【０３６２】
また、払拭パッド３１０は、軸方向に付勢されているため、無理な力を掛けずにノズル面３０を払拭することができる。
【０３６３】
〈その他の実施の形態〉
払拭ユニットが行う払拭動作は、上記のものに限定されるものではない。この他にも種々の払拭動作を採用することができる。
【０３６４】
たとえば、上記実施の形態では、帯状の払拭ウェブ１１０でノズル面を払拭する際、払拭ウェブ１１０を一方向に走行させてノズル面を払拭させているが、払拭ウェブ１１０を往復動させてノズル面を払拭することもできる。
【０３６５】
また、上記実施の形態では、回転する払拭パッド３１０でノズル面を払拭する際、払拭パッド３１０を一方向に回転させてノズル面を払拭させているが、払拭パッド３１０を揺動させて（定期的に正逆回転させて）払拭する構成とすることもできる。
【０３６６】
また、払拭パッド３１０を同軸上に回転させるのではなく、偏芯回転させて払拭する構成とすることもできる。
【０３６７】
また、上記実施の形態では、払拭パッド３１０として、払拭ウェブ１１０と同じ構成の払拭布を用いる構成としているが、ブラシ等で構成することもできる。
【０３６８】
また、払拭パッド３１０はネジで取り付けることにより交換できるようにしている、払拭パッド３１０（４１０）を交換可能に取り付ける構成は、これに限定されるものではない。
【０３６９】
また、上記実施の形態では、払拭ウェブ１１０として極微細な繊維の編み又は織りからなる払拭ウェブ１１０を用いたが、払拭ウェブの構成は、これに限定されるものではない。吸収性を有するものであれば、他の構成の払拭ウェブを用いることもできる。払拭パッド３１０に用いる払拭布３１０Ｃについても同様である。
【０３７０】
なお、極微細な繊維の編み又は織りからなる払拭ウェブを用いることにより、表面の凹凸によって付着物を効果的に除去することができる。また、本例のように吸収性を有する払拭ウェブを用いることにより、ノズル内に入った洗浄液や、ノズル穴表層の増粘したインクをノズル穴から引き出すことができる。
【０３７１】
また、上記実施の形態では、ノズル面３０の走行方向と反対方向に払拭ウェブ１１０を走行させて、ノズル面３０を払拭する構成としているが、ノズル面３０の走行方向と同方向に払拭ウェブ１１０を走行させて、ノズル面３０を払拭するようにしてもよい。
【０３７２】
また、上記実施の形態では、インクジェットヘッド側を移動させて、そのノズル面３０に洗浄液を付与する構成としているが、洗浄液付与装置６２を移動させて、そのノズル面３０に洗浄液を付与する構成とすることもできる。また、インクジェットヘッド１６と洗浄液付与装置６２の双方を移動させて、ノズル面３０に洗浄液を付与する構成とすることもできる。同様に、払拭装置６４を移動させて、そのノズル面３０を払拭する構成とすることもできる。また、インクジェットヘッド１６と払拭装置６４の双方を移動させて、ノズル面３０を払拭する構成とすることもできる。
【０３７３】
また、上記実施の形態では、インクジェットヘッド１６をメンテナンス位置から画像記録位置に移動させる工程でノズル面を清掃する構成としているが、インクジェットヘッド１６を画像記録位置からメンテナンス位置に移動させる工程でノズル面を清掃する構成とすることもできる。この場合、払拭装置６４に対して画像記録位置側に洗浄液付与装置６２が配置される。
【０３７４】
また、上記実施の形態では、洗浄液付与装置６２によってノズル面に洗浄液を付与する構成としているが、ノズル面に洗浄液を付与する構成（ノズル面をウェット化する構成）は、これに限定されるものではない。この他、たとえば、スプレー等によりノズル面に洗浄液を付与する構成とすることもできる。
【０３７５】
また、ノズル面をキャップ５２で覆い、吸引してノズル面をウェット化させる構成とすることもできる。さらに、洗浄液を付与せずに払拭ウェブで払拭する構成とすることもできる。
【０３７６】
また、上記実施の形態では、傾斜して設置されたノズル面を清掃する場合を例に説明したが、本発明の適用は、これに限定されるものではない。水平に設置されたノズル面を清掃する場合にも同様に適用することができる。
【０３７７】
また、上記実施の形態では、ノズル形成領域３０Ａが凹状に退避して形成された場合を例に説明したが、ノズル形成領域３０Ａは、ノズル保護領域３０Ｂと同じ高さで形成するようにしてもよい。すなわち、ノズル面はフラットに形成されていてもよい。
【０３７８】
また、上記実施の形態では、ノズル形成領域３０Ａにのみ撥液処理が施されている場合を例に説明したが、ノズル保護領域３０Ｂにも撥液処理を施すようにしてもよい。
【符号の説明】
【０３７９】
１０…インクジェット記録装置の画像記録部、１２…メディア、１４…画像記録ドラム、１６（１６Ｃ、１６Ｍ、１６Ｙ、１６Ｋ）…インクジェットヘッド、１８…回転軸、２０…インクジェット記録装置本体フレーム、２２…軸受、２４…グリッパ、２６…搬送ドラム、２８…搬送ドラム、３０（３０Ｃ、３０Ｍ、３０Ｙ、３０Ｋ）…ノズル面、３０Ａ…ノズル形成領域、３０Ｂ…ノズル保護領域、４０…ヘッド支持フレーム、４２Ｌ、４２Ｒ…サイドプレート、４４…連結フレーム、４６Ｃ、４６Ｍ、４６Ｙ、４６Ｋ…取付部、４８Ｃ、４８Ｍ、４８Ｙ、４８Ｋ…被取付部、５０…保湿ユニット、５２（５２Ｃ、５２Ｍ、５２Ｙ、５２Ｋ）…キャップ、５４…廃液トレイ、５６…廃液回収配管、５８…廃液タンク、６０…ノズル面清掃装置、６２…洗浄液付与装置、６４…払拭装置、７０（７０Ｃ、７０Ｍ、７０Ｙ、７０Ｋ）…洗浄液付与ユニット、７２（７２Ｃ、７２Ｍ、７２Ｙ、７２Ｋ）…洗浄液付与ユニット取付部、７４…洗浄液付与ヘッド、７４Ａ…洗浄液保持面、７６…洗浄液回収皿、７６Ａ…連通流路、７６Ｂ…洗浄液供給口、７６Ｃ…回収流路、７６Ｄ…洗浄液排出口、７８…洗浄液噴出口、８０…供給流路、８８…回収穴、１００（１００Ｃ、１００Ｍ、１００Ｙ、１００Ｋ）…標準払拭ユニット、１０２…払拭装置本体、１０２Ａ…払拭装置本体フレーム、１０４（１０４Ｃ、１０４Ｍ、１０４Ｙ、１０４Ｋ）…払拭ユニット装着部、１１０…払拭ウェブ、１１２…ケース、１１４…繰出軸、１１４Ａ…フランジ、１１６…巻取軸、１１６Ａ…主軸、１１６Ｂ…滑り軸、１１６Ｃ…トルクリミッタ、１１６Ｄ…キー、１１６Ｅ…フランジ、１１８…押圧ローラ、１１８Ｌ、１１８Ｒ…軸部、１２０…前段ガイド、１２２…後段ガイド、１２４…グリッドローラ、１２６…ケース本体、１２６Ａ…開口部、１２８…蓋、１３０…ヒンジ、１３２…ロック爪、１３４…爪受部、１３６…軸支持部、１３８…繰出コア、１３９…繰出コア押え駒、１３９Ａ…軸部、１３９Ｂ…押圧部、１３９Ｂ１…ボス、１３９Ｂ２…フランジ部、１３９Ｃ…バネ、１４０…軸受部、１４２…巻取コア、１４２Ｃ…キー溝、１４３…ガイド板、１４６Ｌ、１４６Ｒ…軸支持部、１５０Ｌ、１５０Ｒ…柱部、１５２Ｌ、１５２Ｒ…支持部、１５４Ｌ、１５４Ｒ…凹部、１５６Ｌ、１５６Ｒ…バネ、１５８…巻取軸ギア、１６０…第１前段ガイド、１６０Ａ…上縁部、１６２…第２前段ガイド、１６２Ｌ、１６２Ｒ…フランジ、１６４…第１後段ガイド、１６４Ａ…上縁部、１６６…第２後段ガイド、１６６Ｌ、１６６Ｒ…フランジ、１６８Ａ…ブラケット、１６８Ｂ…ブラケット、１７０…昇降ステージ、１７２…ガイド軸、１７４…ガイドブッシュ、１７６…支持部材、１７８…昇降レバー、１８０…切欠き部、１８２…ピン、１８４…軸受部、１８６…グリッドローラギア、１８８…回転伝達ギア、１９０…軸受部、１９２…駆動ギア、１９４…モータ、２００…ニップローラ、２０２…廃液受け、２０６…廃液口、３００（３００Ｃ、３００Ｍ、３００Ｙ、３００Ｋ）…強力払拭ユニット、３１０…払拭パッド、３１０Ａ…ベースプレート、３１０Ｂ…クッションプレート、３１０Ｃ…払拭布、３１０ａ…ネジ穴、３１２…回転駆動機構、３１４…ケース、３１４Ａ…上面部、３１４Ｂ…背壁面部、３１６…払拭パッド駆動軸、３１８…第１ギア、３２０…第２ギア、３２２…第３ギア、３２４…第４ギア、３２６…第５ギア、３２８…第６ギア、３３０…第７ギア、３３２…第１回転軸、３３４…第１軸受部、３３６…第２回転軸、３３８…第２軸受部、３４０…第３回転軸、３４２…第３軸受部、３４４…第４回転軸、３４６…第４軸受部、３４８…主軸受部、３５０…主軸、３５０Ａ…キー、３５２…キャップ、３５２Ａ…キャップ本体部、３５２Ｂ…パッド支持部、３５２Ｃ…ネジ部、３５２Ｄ…キー溝、３５４…バネ、４００…往復払拭ユニット、４１０…払拭パッド、４１０Ａ…ベースプレート、４１０Ｂ…クッションプレート、４１０Ｃ…払拭布、４１２…往復駆動機構、４１２Ａ…回転動力伝達部、４１２Ｂ…動力変換部、４２０…入力軸、４２２…回転板、４２４…往復動体、４２６…往復動ガイド、４２６Ａ…ガイドレール、４２６ａ…ガイド溝、４２８…長穴、４３０…基台部、４３０Ａ…スライド部、４３２…払拭パッド取付板、４３２Ａ…嵌合部、４３２Ｂ…払拭パッド取付部、４３２Ｃ…連結部、４３４…バネ、４３６…偏芯ピン、４４０…凹部、Ｎ…ノズル、Ｐ…圧力室
【図１】
0005438632.tif 000002
【図２】
0005438632.tif 000003
【図３】
0005438632.tif 000004
【図４】
0005438632.tif 000005
【図５】
0005438632.tif 000006
【図６】
0005438632.tif 000007
【図７】
0005438632.tif 000008
【図８】
0005438632.tif 000009
【図９】
0005438632.tif 000010
【図１０】
0005438632.tif 000011
【図１１】
0005438632.tif 000012
【図１２】
0005438632.tif 000013
【図１３】
0005438632.tif 000014
【図１４】
0005438632.tif 000015
【図１５】
0005438632.tif 000016
【図１６】
0005438632.tif 000017
【図１７】
0005438632.tif 000018
【図１８】
0005438632.tif 000019
【図１９】
0005438632.tif 000020
【図２０】
0005438632.tif 000021
【図２１】
0005438632.tif 000022
【図２２】
0005438632.tif 000023
【図２３】
0005438632.tif 000024
【図２４】
0005438632.tif 000025
【図２５】
0005438632.tif 000026
【図２６】
0005438632.tif 000027
【図２７】
0005438632.tif 000028
【図２８】
0005438632.tif 000029
【図２９】
0005438632.tif 000030
【図３０】
0005438632.tif 000031